(57)【特許請求の範囲】
【請求項１】
情報処理装置と、
表示部と撮像部と通信部と制御部とを備えるヘッドマウント装置と、
装置識別情報に関連付けて前記装置識別情報で識別される対象装置に関連付けられた画像を記憶する記憶装置と、を備え、
前記通信部は、前記撮像部が撮像した画像を前記情報処理装置へ送信し、前記情報処理装置から画像を受信し、
前記表示部は、前記通信部が前記情報処理装置から受信した画像を表示し、
前記制御部は、前記表示部と前記撮像部とを制御し、
前記情報処理装置は、
前記ヘッドマウント装置の通信部と通信を行う通信部と、
前記撮像部が撮像した画像に基づいて対象装置の装置識別情報を取得する装置識別情報取得部と、
前記装置識別情報取得部が取得した装置識別情報に関連付けられている画像を前記記憶装置から取得し、取得した画像を前記情報処理装置の通信部によって前記ヘッドマウント装置の通信部へ送信する画像提供部と、を備える画像表示システムであって、
前記記憶装置は、前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を記憶し、
前記画像提供部は、前記ヘッドマウント装置の識別情報又は装着ユーザ識別情報と、時刻情報と、前記画像選択情報とに基づいて、前記装置識別情報取得部が取得した装置識別情報に関連付けられている画像を選択するか否かを判定し、該画像を選択すると判定した場合には該画像を前記ヘッドマウント装置へ送信し、該画像を選択しないと判定した場合には該画像を前記ヘッドマウント装置へ送信しない、画像表示システムであり、
前記画像提供部は、前記判定の結果、前記装置識別情報取得部が取得した装置識別情報に関連付けられている画像を選択しない場合には、作業者に対して作業内容を再確認するように警告する内容の警告画像を、前記情報処理装置の通信部によって前記ヘッドマウント装置の通信部へ送信する、
画像表示システム。
【請求項２】
情報処理装置と、
表示部と撮像部と通信部と制御部とを備えるヘッドマウント装置と、
前記撮像部が撮像した画像を前記情報処理装置へ送信し、前記情報処理装置から受信した画像を前記ヘッドマウント装置へ出力する通信装置と、
装置識別情報に関連付けて前記装置識別情報で識別される対象装置に関連付けられた画像を記憶する記憶装置と、を備え、
前記通信部は、前記撮像部が撮像した画像を前記通信装置へ送信し、前記通信装置から画像を受信し、
前記表示部は、前記通信部が前記通信装置から受信した画像を表示し、
前記制御部は、前記表示部と前記撮像部とを制御し、
前記情報処理装置は、
前記通信装置と通信を行う通信部と、
前記撮像部が撮像した画像に基づいて対象装置の装置識別情報を取得する装置識別情報取得部と、
前記装置識別情報取得部が取得した装置識別情報に関連付けられている画像を前記記憶装置から取得し、取得した画像を前記情報処理装置の通信部によって前記通信装置へ送信する画像提供部と、を備える画像表示システムであって、
前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を備え、
前記画像提供部は、前記ヘッドマウント装置の識別情報又は装着ユーザ識別情報と、時刻情報と、前記画像選択情報とに基づいて、前記装置識別情報取得部が取得した装置識別情報に関連付けられている画像を選択するか否かを判定し、該画像を選択すると判定した場合には該画像を前記通信装置へ送信し、該画像を選択しないと判定した場合には該画像を前記通信装置へ送信しない、画像表示システムであり、
前記画像提供部は、前記判定の結果、前記装置識別情報取得部が取得した装置識別情報に関連付けられている画像を選択しない場合には、作業者に対して作業内容を再確認するように警告する内容の警告画像を、前記情報処理装置の通信部によって前記通信装置へ送信する、
画像表示システム。
【請求項３】
前記画像選択情報は、作業計画に基づいた情報であり、
前記対象装置に関連付けられた画像は、前記作業計画に関連付いた画像である、
請求項１又は２のいずれか１項に記載の画像表示システム。
【請求項４】
情報処理装置と、
表示部と撮像部と通信部と制御部とを備えるヘッドマウント装置と、
装置識別情報に関連付けて前記装置識別情報で識別される対象装置に関連付けられた画像を記憶する記憶装置と、を備え、
前記通信部は、前記撮像部が撮像した画像を前記情報処理装置へ送信し、前記情報処理装置から画像を受信し、
前記表示部は、前記通信部が前記情報処理装置から受信した画像を表示し、
前記制御部は、前記表示部と前記撮像部とを制御し、
前記情報処理装置は、
前記ヘッドマウント装置の通信部と通信を行う通信部と、
前記撮像部が撮像した画像に基づいて対象装置の装置識別情報を取得する装置識別情報取得部と、
前記装置識別情報取得部が取得した装置識別情報に関連付けられている画像を前記記憶装置から取得し、取得した画像を前記情報処理装置の通信部によって前記ヘッドマウント装置の通信部へ送信する画像提供部と、を備える画像表示システムであって、
前記情報処理装置の通信部によって受信した前記撮像部による撮像画像を表示する表示装置をさらに備え、
前記情報処理装置は、画像の表示終了の承認の入力を受け付ける承認入力部をさらに備え、
前記画像提供部は、前記表示部に表示させる画像を、前記装置識別情報取得部が取得した前記装置識別情報で識別される対象装置に適用される次の画像に更新することの所要の条件に、前記承認入力部によって画像の表示終了の承認の入力を受け付けることを含め、
前記承認入力部は、前記ヘッドマウント装置を装着する作業者の識別情報に応じて、画像の表示終了の承認の入力を受け付ける承認入力画面を前記表示装置に表示させるか否かを判断し、
前記画像提供部は、
前記承認入力画面が前記表示装置に表示される場合には、前記所要の条件に、前記承認入力画面によって画像の表示終了の承認が入力されることを含め、
前記承認入力画面が前記表示装置に表示されない場合には、前記所要の条件に、前記承認入力画面によって画像の表示終了の承認が入力されることを含めない、
画像表示システム。
【請求項５】
情報処理装置と、
表示部と撮像部と通信部と制御部とを備えるヘッドマウント装置と、
装置識別情報に関連付けて前記装置識別情報で識別される対象装置に関連付けられた画像を記憶する記憶装置と、を備え、
前記通信部は、前記撮像部が撮像した画像を前記情報処理装置へ送信し、前記情報処理装置から画像を受信し、
前記表示部は、前記通信部が前記情報処理装置から受信した画像を表示し、
前記制御部は、前記表示部と前記撮像部とを制御し、
前記情報処理装置は、
前記ヘッドマウント装置の通信部と通信を行う通信部と、
前記撮像部が撮像した画像に基づいて対象装置の装置識別情報を取得する装置識別情報取得部と、
前記装置識別情報取得部が取得した装置識別情報に関連付けられている画像を前記記憶装置から取得し、取得した画像を前記情報処理装置の通信部によって前記ヘッドマウント装置の通信部へ送信する画像提供部と、を備える画像表示システムであって、
前記情報処理装置の通信部によって受信した前記撮像部による撮像画像を表示する表示装置をさらに備え、
前記情報処理装置は、画像の表示終了の承認の入力を受け付ける承認入力部をさらに備え、
前記画像提供部は、前記表示部に表示させる画像を、前記装置識別情報取得部が取得した前記装置識別情報で識別される対象装置に適用される次の画像に更新することの所要の条件に、前記承認入力部によって画像の表示終了の承認の入力を受け付けることを含め、
前記承認入力部は、前記装置識別情報取得部が取得した前記装置識別情報で識別される対象装置についての難易度情報と、前記ヘッドマウント装置を装着する作業者の識別情報に関連付けられている作業者レベル情報とに基づいて、承認者のレベルと識別情報とが関連付けられている承認者リストから前記画像の表示終了の承認の入力を行う承認者の識別情報を選択し、選択した承認者の識別情報によって前記画像の表示終了の承認の入力を受け付ける、
画像表示システム。
【請求項６】
情報処理装置と、
表示部と撮像部と通信部と制御部とを備えるヘッドマウント装置と、
前記撮像部が撮像した画像を前記情報処理装置へ送信し、前記情報処理装置から受信した画像を前記ヘッドマウント装置へ出力する通信装置と、
装置識別情報に関連付けて前記装置識別情報で識別される対象装置に関連付けられた画像を記憶する記憶装置と、を備え、
前記通信部は、前記撮像部が撮像した画像を前記通信装置へ送信し、前記通信装置から画像を受信し、
前記表示部は、前記通信部が前記通信装置から受信した画像を表示し、
前記制御部は、前記表示部と前記撮像部とを制御し、
前記情報処理装置は、
前記通信装置と通信を行う通信部と、
前記撮像部が撮像した画像に基づいて対象装置の装置識別情報を取得する装置識別情報取得部と、
前記装置識別情報取得部が取得した装置識別情報に関連付けられている画像を前記記憶装置から取得し、取得した画像を前記情報処理装置の通信部によって前記通信装置へ送信する画像提供部と、を備える画像表示システムであって、
前記情報処理装置の通信部によって受信した前記撮像部による撮像画像を表示する表示装置をさらに備え、
前記情報処理装置は、画像の表示終了の承認の入力を受け付ける承認入力部をさらに備え、
前記画像提供部は、前記表示部に表示させる画像を、前記装置識別情報取得部が取得した前記装置識別情報で識別される対象装置に適用される次の画像に更新することの所要の条件に、前記承認入力部によって画像の表示終了の承認の入力を受け付けることを含め、
前記承認入力部は、前記ヘッドマウント装置を装着する作業者の識別情報に応じて、画像の表示終了の承認の入力を受け付ける承認入力画面を前記表示装置に表示させるか否かを判断し、
前記画像提供部は、
前記承認入力画面が前記表示装置に表示される場合には、前記所要の条件に、前記承認入力画面によって画像の表示終了の承認が入力されることを含め、
前記承認入力画面が前記表示装置に表示されない場合には、前記所要の条件に、前記承認入力画面によって画像の表示終了の承認が入力されることを含めない、
画像表示システム。
【請求項７】
情報処理装置と、
表示部と撮像部と通信部と制御部とを備えるヘッドマウント装置と、
前記撮像部が撮像した画像を前記情報処理装置へ送信し、前記情報処理装置から受信した画像を前記ヘッドマウント装置へ出力する通信装置と、
装置識別情報に関連付けて前記装置識別情報で識別される対象装置に関連付けられた画像を記憶する記憶装置と、を備え、
前記通信部は、前記撮像部が撮像した画像を前記通信装置へ送信し、前記通信装置から画像を受信し、
前記表示部は、前記通信部が前記通信装置から受信した画像を表示し、
前記制御部は、前記表示部と前記撮像部とを制御し、
前記情報処理装置は、
前記通信装置と通信を行う通信部と、
前記撮像部が撮像した画像に基づいて対象装置の装置識別情報を取得する装置識別情報取得部と、
前記装置識別情報取得部が取得した装置識別情報に関連付けられている画像を前記記憶装置から取得し、取得した画像を前記情報処理装置の通信部によって前記通信装置へ送信する画像提供部と、を備える画像表示システムであって、
前記情報処理装置の通信部によって受信した前記撮像部による撮像画像を表示する表示装置をさらに備え、
前記情報処理装置は、画像の表示終了の承認の入力を受け付ける承認入力部をさらに備え、
前記画像提供部は、前記表示部に表示させる画像を、前記装置識別情報取得部が取得した前記装置識別情報で識別される対象装置に適用される次の画像に更新することの所要の条件に、前記承認入力部によって画像の表示終了の承認の入力を受け付けることを含め、
前記承認入力部は、前記装置識別情報取得部が取得した前記装置識別情報で識別される対象装置についての難易度情報と、前記ヘッドマウント装置を装着する作業者の識別情報に関連付けられている作業者レベル情報とに基づいて、承認者のレベルと識別情報とが関連付けられている承認者リストから前記画像の表示終了の承認の入力を行う承認者の識別情報を選択し、選択した承認者の識別情報によって前記画像の表示終了の承認の入力を受け付ける、
画像表示システム。
【請求項８】
前記ヘッドマウント装置は、前記ヘッドマウント装置を装着する人の音声を収音する収音部をさらに備え、
前記制御部は、前記収音部が収音した音声に基づいて前記ヘッドマウント装置に表示されている画像の表示終了を判断した場合に、前記情報処理装置へ画像の表示終了を通知し、
前記画像提供部は、前記ヘッドマウント装置から画像の表示終了を通知されると、前記装置識別情報取得部が取得した前記装置識別情報で識別される対象装置に適用される次の画像を前記記憶装置から取得し、取得した画像を前記ヘッドマウント装置へ提供する、
請求項１から７のいずれか１項に記載の画像表示システム。
【請求項９】
前記ヘッドマウント装置を装着する作業者の視線を検出する視線検出部をさらに備え、
前記記憶装置は、作業者の視線によって特定される情報を画像に関連付けて記憶し、
前記制御部は、前記視線検出部が検出した視線を示す視線情報と前記表示部に表示されている画像を識別する画像識別情報とを前記情報処理装置へ提供し、
前記情報処理装置は、
前記視線情報と、前記画像識別情報で識別される画像に関連付けて前記記憶装置に記憶されている情報とに基づいて、前記画像識別情報で識別される画像の表示終了を判断する判断部をさらに備え、
前記画像提供部は、前記装置識別情報取得部が取得した前記装置識別情報で識別される対象装置に適用される次の画像を前記記憶装置から取得し、取得した画像を前記ヘッドマウント装置へ提供する、
請求項１から７のいずれか１項に記載の画像表示システム。
【請求項１０】
ヘッドマウント装置に備わる撮像部が撮像した画像を受信し、前記ヘッドマウント装置に備わる表示部によって表示される画像を送信する通信部と、
前記撮像部が撮像した画像に基づいて対象装置の装置識別情報を取得する装置識別情報取得部と、
装置識別情報に関連付けて前記装置識別情報で識別される対象装置に適用される画像を記憶する記憶装置から、前記装置識別情報取得部が取得した装置識別情報に関連付けられている画像を取得し、取得した画像を前記通信部によって前記ヘッドマウント装置へ提供する画像提供部と、を備える情報処理装置であって、
前記記憶装置は、前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を記憶し、
前記画像提供部は、前記ヘッドマウント装置の識別情報又は装着ユーザ識別情報と、時刻情報と、前記画像選択情報とに基づいて、前記装置識別情報取得部が取得した装置識別情報に関連付けられている画像を選択するか否かを判定し、該画像を選択すると判定した場合には該画像を前記ヘッドマウント装置へ送信し、該画像を選択しないと判定した場合には該画像を前記ヘッドマウント装置へ送信しない、情報処理装置であり、
前記画像提供部は、前記判定の結果、前記装置識別情報取得部が取得した装置識別情報に関連付けられている画像を選択しない場合には、作業者に対して作業内容を再確認するように警告する内容の警告画像を、前記通信部によって前記ヘッドマウント装置へ送信する、
情報処理装置。
【請求項１１】
情報処理装置が、ヘッドマウント装置に備わる撮像部が撮像した画像を受信し、前記ヘッドマウント装置に備わる表示部によって表示される画像を送信する通信ステップと、
前記情報処理装置が、前記撮像部が撮像した画像に基づいて対象装置の装置識別情報を取得する装置識別情報取得ステップと、
前記情報処理装置が、装置識別情報に関連付けて前記装置識別情報で識別される対象装置に適用される画像を記憶する記憶装置から、前記装置識別情報取得ステップにより取得した装置識別情報に関連付けられている画像を取得し、取得した画像を前記通信ステップによって前記ヘッドマウント装置へ提供する画像提供ステップと、を含む画像表示方法であって、
前記記憶装置は、前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を記憶し、
前記情報処理装置は、前記ヘッドマウント装置の識別情報又は装着ユーザ識別情報と、時刻情報と、前記画像選択情報とに基づいて、前記装置識別情報取得ステップにより取得した装置識別情報に関連付けられている画像を選択するか否かを判定し、該画像を選択すると判定した場合には該画像を前記ヘッドマウント装置へ送信し、該画像を選択しないと判定した場合には該画像を前記ヘッドマウント装置へ送信しない、画像表示方法であり、
前記情報処理装置は、前記判定の結果、前記装置識別情報取得部が取得した装置識別情報に関連付けられている画像を選択しない場合には、作業者に対して作業内容を再確認するように警告する内容の警告画像を、前記通信ステップによって前記ヘッドマウント装置へ送信する、
画像表示方法。
【請求項１２】
コンピュータに、
ヘッドマウント装置に備わる撮像部が撮像した画像を受信し、前記ヘッドマウント装置に備わる表示部によって表示される画像を送信する通信機能と、
前記撮像部が撮像した画像に基づいて対象装置の装置識別情報を取得する装置識別情報取得機能と、
装置識別情報に関連付けて前記装置識別情報で識別される対象装置に適用される画像を記憶する記憶装置から、前記装置識別情報取得機能が取得した装置識別情報に関連付けられている画像を取得し、取得した画像を前記通信機能によって前記ヘッドマウント装置へ提供する画像提供機能と、を実現させるためのコンピュータプログラムであって、
前記記憶装置は、前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を記憶し、
前記画像提供機能は、前記ヘッドマウント装置の識別情報又は装着ユーザ識別情報と、時刻情報と、前記画像選択情報とに基づいて、前記装置識別情報取得機能が取得した装置識別情報に関連付けられている画像を選択するか否かを判定し、該画像を選択すると判定した場合には該画像を前記ヘッドマウント装置へ送信し、該画像を選択しないと判定した場合には該画像を前記ヘッドマウント装置へ送信しない、コンピュータプログラムであり、
前記画像提供機能は、前記判定の結果、前記装置識別情報取得部が取得した装置識別情報に関連付けられている画像を選択しない場合には、作業者に対して作業内容を再確認するように警告する内容の警告画像を、前記通信機能によって前記ヘッドマウント装置へ送信する、
コンピュータプログラム。
【発明の詳細な説明】
【技術分野】
【０００１】
本発明は、画像表示システム、情報処理装置、画像表示方法及びコンピュータプログラムに関する。
【背景技術】
【０００２】
従来、設備の保守や点検の作業では、作業者は、作業の手順が記載された作業手順書を適宜に閲覧しながら作業を行っていた。また、特許文献１には、コンピュータシステムの障害発生時に、作業者が頭部に装着しているヘッドマウントディスプレイ（Head Mounted Display）に、障害修復作業の方法を案内するコンピュータグラフィックス画像データを現実空間の映像と合成して表示する情報処理システムの技術が開示されている。また、特許文献２には、ヘッドマウントディスプレイの技術が開示されている。また、特許文献３，４には、被験者の視線を検出する視線検出装置の技術が開示されている。
【先行技術文献】
【特許文献】
【０００３】
【特許文献１】特開２０１１−２４８８６０号公報
【特許文献２】特開２０１３−０７７０１３号公報
【特許文献３】特開２０１４−１７１５８６号公報
【特許文献４】特開２０１４−１９５６４７号公報
【発明の概要】
【発明が解決しようとする課題】
【０００４】
作業者が作業中に作業手順書を閲覧する操作は、手間がかかるので、作業の効率の低下の一要因になり得る。また、作業場所によっては作業手順書を閲覧できるだけの空間がない場合もあった。この対処方法として、作業者が頭部に装着しているヘッドマウントディスプレイに作業手順書の内容を表示することが考えられる。しかし、上述した特許文献１の技術では、障害修復作業を行う対象の装置毎に障害修復作業の方法が異なると適用できない可能性があった。
【０００５】
本発明は、このような事情を考慮してなされたものであり、作業者が頭部に装着しているヘッドマウント装置によって該作業者に対して、作業を行う対象の各装置に対応する画像を提示することができる、画像表示システム、情報処理装置、画像表示方法及びコンピュータプログラムを提供することを課題とする。
【課題を解決するための手段】
【０００６】
（１）本発明の一態様は、情報処理装置と、表示部と撮像部と通信部と制御部とを備えるヘッドマウント装置と、装置識別情報に関連付けて前記装置識別情報で識別される対象装置に関連付けられた画像を記憶する記憶装置と、を備え、前記通信部は、前記撮像部が撮像した画像を前記情報処理装置へ送信し、前記情報処理装置から画像を受信し、前記表示部は、前記通信部が前記情報処理装置から受信した画像を表示し、前記制御部は、前記表示部と前記撮像部とを制御し、前記情報処理装置は、前記ヘッドマウント装置の通信部と通信を行う通信部と、前記撮像部が撮像した画像に基づいて対象装置の装置識別情報を取得する装置識別情報取得部と、前記装置識別情報取得部が取得した装置識別情報に関連付けられている画像を前記記憶装置から取得し、取得した画像を前記情報処理装置の通信部によって前記ヘッドマウント装置の通信部へ送信する画像提供部と、を備える画像表示システムであって、前記記憶装置は、前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を記憶し、前記画像提供部は、前記ヘッドマウント装置の識別情報又は装着ユーザ識別情報と、時刻情報と、前記画像選択情報とに基づいて、前記装置識別情報取得部が取得した装置識別情報に関連付けられている画像を選択するか否かを判定し、該画像を選択すると判定した場合には該画像を前記ヘッドマウント装置へ送信し、該画像を選択しないと判定した場合には該画像を前記ヘッドマウント装置へ送信しない、画像表示システムであり、前記画像提供部は、前記判定の結果、前記装置識別情報取得部が取得した装置識別情報に関連付けられている画像を選択しない場合には、作業者に対して作業内容を再確認するように警告する内容の警告画像を、前記情報処理装置の通信部によって前記ヘッドマウント装置の通信部へ送信する、画像表示システムである。
【０００７】
（２）本発明の一態様は、情報処理装置と、表示部と撮像部と通信部と制御部とを備えるヘッドマウント装置と、前記撮像部が撮像した画像を前記情報処理装置へ送信し、前記情報処理装置から受信した画像を前記ヘッドマウント装置へ出力する通信装置と、装置識別情報に関連付けて前記装置識別情報で識別される対象装置に関連付けられた画像を記憶する記憶装置と、を備え、前記通信部は、前記撮像部が撮像した画像を前記通信装置へ送信し、前記通信装置から画像を受信し、前記表示部は、前記通信部が前記通信装置から受信した画像を表示し、前記制御部は、前記表示部と前記撮像部とを制御し、前記情報処理装置は、前記通信装置と通信を行う通信部と、前記撮像部が撮像した画像に基づいて対象装置の装置識別情報を取得する装置識別情報取得部と、前記装置識別情報取得部が取得した装置識別情報に関連付けられている画像を前記記憶装置から取得し、取得した画像を前記情報処理装置の通信部によって前記通信装置へ送信する画像提供部と、を備える画像表示システムであって、前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を備え、前記画像提供部は、前記ヘッドマウント装置の識別情報又は装着ユーザ識別情報と、時刻情報と、前記画像選択情報とに基づいて、前記装置識別情報取得部が取得した装置識別情報に関連付けられている画像を選択するか否かを判定し、該画像を選択すると判定した場合には該画像を前記通信装置へ送信し、該画像を選択しないと判定した場合には該画像を前記通信装置へ送信しない、画像表示システムであり、前記画像提供部は、前記判定の結果、前記装置識別情報取得部が取得した装置識別情報に関連付けられている画像を選択しない場合には、作業者に対して作業内容を再確認するように警告する内容の警告画像を、前記情報処理装置の通信部によって前記通信装置へ送信する、画像表示システムである。
【０００８】
（３）本発明の一態様は、上記（１）又は（２）のいずれかの画像表示システムにおいて、前記画像選択情報は、作業計画に基づいた情報であり、前記対象装置に関連付けられた画像は、前記作業計画に関連付いた画像である、画像表示システムである。
【０００９】
（４）本発明の一態様は、情報処理装置と、表示部と撮像部と通信部と制御部とを備えるヘッドマウント装置と、装置識別情報に関連付けて前記装置識別情報で識別される対象装置に関連付けられた画像を記憶する記憶装置と、を備え、前記通信部は、前記撮像部が撮像した画像を前記情報処理装置へ送信し、前記情報処理装置から画像を受信し、前記表示部は、前記通信部が前記情報処理装置から受信した画像を表示し、前記制御部は、前記表示部と前記撮像部とを制御し、前記情報処理装置は、前記ヘッドマウント装置の通信部と通信を行う通信部と、前記撮像部が撮像した画像に基づいて対象装置の装置識別情報を取得する装置識別情報取得部と、前記装置識別情報取得部が取得した装置識別情報に関連付けられている画像を前記記憶装置から取得し、取得した画像を前記情報処理装置の通信部によって前記ヘッドマウント装置の通信部へ送信する画像提供部と、を備える画像表示システムであって、前記情報処理装置の通信部によって受信した前記撮像部による撮像画像を表示する表示装置をさらに備え、前記情報処理装置は、画像の表示終了の承認の入力を受け付ける承認入力部をさらに備え、前記画像提供部は、前記表示部に表示させる画像を、前記装置識別情報取得部が取得した前記装置識別情報で識別される対象装置に適用される次の画像に更新することの所要の条件に、前記承認入力部によって画像の表示終了の承認の入力を受け付けることを含め、前記承認入力部は、前記ヘッドマウント装置を装着する作業者の識別情報に応じて、画像の表示終了の承認の入力を受け付ける承認入力画面を前記表示装置に表示させるか否かを判断し、前記画像提供部は、前記承認入力画面が前記表示装置に表示される場合には、前記所要の条件に、前記承認入力画面によって画像の表示終了の承認が入力されることを含め、前記承認入力画面が前記表示装置に表示されない場合には、前記所要の条件に、前記承認入力画面によって画像の表示終了の承認が入力されることを含めない、画像表示システムである。
（５）本発明の一態様は、情報処理装置と、表示部と撮像部と通信部と制御部とを備えるヘッドマウント装置と、装置識別情報に関連付けて前記装置識別情報で識別される対象装置に関連付けられた画像を記憶する記憶装置と、を備え、前記通信部は、前記撮像部が撮像した画像を前記情報処理装置へ送信し、前記情報処理装置から画像を受信し、前記表示部は、前記通信部が前記情報処理装置から受信した画像を表示し、前記制御部は、前記表示部と前記撮像部とを制御し、前記情報処理装置は、前記ヘッドマウント装置の通信部と通信を行う通信部と、前記撮像部が撮像した画像に基づいて対象装置の装置識別情報を取得する装置識別情報取得部と、前記装置識別情報取得部が取得した装置識別情報に関連付けられている画像を前記記憶装置から取得し、取得した画像を前記情報処理装置の通信部によって前記ヘッドマウント装置の通信部へ送信する画像提供部と、を備える画像表示システムであって、前記情報処理装置の通信部によって受信した前記撮像部による撮像画像を表示する表示装置をさらに備え、前記情報処理装置は、画像の表示終了の承認の入力を受け付ける承認入力部をさらに備え、前記画像提供部は、前記表示部に表示させる画像を、前記装置識別情報取得部が取得した前記装置識別情報で識別される対象装置に適用される次の画像に更新することの所要の条件に、前記承認入力部によって画像の表示終了の承認の入力を受け付けることを含め、前記承認入力部は、前記装置識別情報取得部が取得した前記装置識別情報で識別される対象装置についての難易度情報と、前記ヘッドマウント装置を装着する作業者の識別情報に関連付けられている作業者レベル情報とに基づいて、承認者のレベルと識別情報とが関連付けられている承認者リストから前記画像の表示終了の承認の入力を行う承認者の識別情報を選択し、選択した承認者の識別情報によって前記画像の表示終了の承認の入力を受け付ける、画像表示システムである。
（６）本発明の一態様は、情報処理装置と、表示部と撮像部と通信部と制御部とを備えるヘッドマウント装置と、前記撮像部が撮像した画像を前記情報処理装置へ送信し、前記情報処理装置から受信した画像を前記ヘッドマウント装置へ出力する通信装置と、装置識別情報に関連付けて前記装置識別情報で識別される対象装置に関連付けられた画像を記憶する記憶装置と、を備え、前記通信部は、前記撮像部が撮像した画像を前記通信装置へ送信し、前記通信装置から画像を受信し、前記表示部は、前記通信部が前記通信装置から受信した画像を表示し、前記制御部は、前記表示部と前記撮像部とを制御し、前記情報処理装置は、前記通信装置と通信を行う通信部と、前記撮像部が撮像した画像に基づいて対象装置の装置識別情報を取得する装置識別情報取得部と、前記装置識別情報取得部が取得した装置識別情報に関連付けられている画像を前記記憶装置から取得し、取得した画像を前記情報処理装置の通信部によって前記通信装置へ送信する画像提供部と、を備える画像表示システムであって、前記情報処理装置の通信部によって受信した前記撮像部による撮像画像を表示する表示装置をさらに備え、前記情報処理装置は、画像の表示終了の承認の入力を受け付ける承認入力部をさらに備え、前記画像提供部は、前記表示部に表示させる画像を、前記装置識別情報取得部が取得した前記装置識別情報で識別される対象装置に適用される次の画像に更新することの所要の条件に、前記承認入力部によって画像の表示終了の承認の入力を受け付けることを含め、前記承認入力部は、前記ヘッドマウント装置を装着する作業者の識別情報に応じて、画像の表示終了の承認の入力を受け付ける承認入力画面を前記表示装置に表示させるか否かを判断し、前記画像提供部は、前記承認入力画面が前記表示装置に表示される場合には、前記所要の条件に、前記承認入力画面によって画像の表示終了の承認が入力されることを含め、
前記承認入力画面が前記表示装置に表示されない場合には、前記所要の条件に、前記承認入力画面によって画像の表示終了の承認が入力されることを含めない、画像表示システムである。
（７）本発明の一態様は、情報処理装置と、表示部と撮像部と通信部と制御部とを備えるヘッドマウント装置と、前記撮像部が撮像した画像を前記情報処理装置へ送信し、前記情報処理装置から受信した画像を前記ヘッドマウント装置へ出力する通信装置と、装置識別情報に関連付けて前記装置識別情報で識別される対象装置に関連付けられた画像を記憶する記憶装置と、を備え、前記通信部は、前記撮像部が撮像した画像を前記通信装置へ送信し、前記通信装置から画像を受信し、前記表示部は、前記通信部が前記通信装置から受信した画像を表示し、前記制御部は、前記表示部と前記撮像部とを制御し、前記情報処理装置は、前記通信装置と通信を行う通信部と、前記撮像部が撮像した画像に基づいて対象装置の装置識別情報を取得する装置識別情報取得部と、前記装置識別情報取得部が取得した装置識別情報に関連付けられている画像を前記記憶装置から取得し、取得した画像を前記情報処理装置の通信部によって前記通信装置へ送信する画像提供部と、を備える画像表示システムであって、前記情報処理装置の通信部によって受信した前記撮像部による撮像画像を表示する表示装置をさらに備え、前記情報処理装置は、画像の表示終了の承認の入力を受け付ける承認入力部をさらに備え、前記画像提供部は、前記表示部に表示させる画像を、前記装置識別情報取得部が取得した前記装置識別情報で識別される対象装置に適用される次の画像に更新することの所要の条件に、前記承認入力部によって画像の表示終了の承認の入力を受け付けることを含め、前記承認入力部は、前記装置識別情報取得部が取得した前記装置識別情報で識別される対象装置についての難易度情報と、前記ヘッドマウント装置を装着する作業者の識別情報に関連付けられている作業者レベル情報とに基づいて、承認者のレベルと識別情報とが関連付けられている承認者リストから前記画像の表示終了の承認の入力を行う承認者の識別情報を選択し、選択した承認者の識別情報によって前記画像の表示終了の承認の入力を受け付ける、画像表示システムである。
【００１０】
（８）本発明の一態様は、上記（１）から（７）のいずれかの画像表示システムにおいて、前記ヘッドマウント装置は、前記ヘッドマウント装置を装着する人の音声を収音する収音部をさらに備え、前記制御部は、前記収音部が収音した音声に基づいて前記ヘッドマウント装置に表示されている画像の表示終了を判断した場合に、前記情報処理装置へ画像の表示終了を通知し、前記画像提供部は、前記ヘッドマウント装置から画像の表示終了を通知されると、前記装置識別情報取得部が取得した前記装置識別情報で識別される対象装置に適用される次の画像を前記記憶装置から取得し、取得した画像を前記ヘッドマウント装置へ提供する、画像表示システムである。
（９）本発明の一態様は、上記（１）から（７）のいずれかの画像表示システムにおいて、前記ヘッドマウント装置を装着する作業者の視線を検出する視線検出部をさらに備え、前記記憶装置は、作業者の視線によって特定される情報を画像に関連付けて記憶し、前記制御部は、前記視線検出部が検出した視線を示す視線情報と前記表示部に表示されている画像を識別する画像識別情報とを前記情報処理装置へ提供し、前記情報処理装置は、前記視線情報と、前記画像識別情報で識別される画像に関連付けて前記記憶装置に記憶されている情報とに基づいて、前記画像識別情報で識別される画像の表示終了を判断する判断部をさらに備え、前記画像提供部は、前記装置識別情報取得部が取得した前記装置識別情報で識別される対象装置に適用される次の画像を前記記憶装置から取得し、取得した画像を前記ヘッドマウント装置へ提供する、画像表示システムである。
【００１１】
本発明の一態様は、上記いずれかの画像表示システムにおいて、前記記憶装置が記憶する画像は、対象装置に適用される作業手順を示す作業手順画像である画像表示システムである。
【００１２】
（１０）本発明の一態様は、ヘッドマウント装置に備わる撮像部が撮像した画像を受信し、前記ヘッドマウント装置に備わる表示部によって表示される画像を送信する通信部と、前記撮像部が撮像した画像に基づいて対象装置の装置識別情報を取得する装置識別情報取得部と、装置識別情報に関連付けて前記装置識別情報で識別される対象装置に適用される画像を記憶する記憶装置から、前記装置識別情報取得部が取得した装置識別情報に関連付けられている画像を取得し、取得した画像を前記通信部によって前記ヘッドマウント装置へ提供する画像提供部と、を備える情報処理装置であって、前記記憶装置は、前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を記憶し、前記画像提供部は、前記ヘッドマウント装置の識別情報又は装着ユーザ識別情報と、時刻情報と、前記画像選択情報とに基づいて、前記装置識別情報取得部が取得した装置識別情報に関連付けられている画像を選択するか否かを判定し、該画像を選択すると判定した場合には該画像を前記ヘッドマウント装置へ送信し、該画像を選択しないと判定した場合には該画像を前記ヘッドマウント装置へ送信しない、情報処理装置であり、前記画像提供部は、前記判定の結果、前記装置識別情報取得部が取得した装置識別情報に関連付けられている画像を選択しない場合には、作業者に対して作業内容を再確認するように警告する内容の警告画像を、前記通信部によって前記ヘッドマウント装置へ送信する、情報処理装置である。
【００１３】
（１１）本発明の一態様は、情報処理装置が、ヘッドマウント装置に備わる撮像部が撮像した画像を受信し、前記ヘッドマウント装置に備わる表示部によって表示される画像を送信する通信ステップと、前記情報処理装置が、前記撮像部が撮像した画像に基づいて対象装置の装置識別情報を取得する装置識別情報取得ステップと、前記情報処理装置が、装置識別情報に関連付けて前記装置識別情報で識別される対象装置に適用される画像を記憶する記憶装置から、前記装置識別情報取得ステップにより取得した装置識別情報に関連付けられている画像を取得し、取得した画像を前記通信ステップによって前記ヘッドマウント装置へ提供する画像提供ステップと、を含む画像表示方法であって、前記記憶装置は、前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を記憶し、前記情報処理装置は、前記ヘッドマウント装置の識別情報又は装着ユーザ識別情報と、時刻情報と、前記画像選択情報とに基づいて、前記装置識別情報取得ステップにより取得した装置識別情報に関連付けられている画像を選択するか否かを判定し、該画像を選択すると判定した場合には該画像を前記ヘッドマウント装置へ送信し、該画像を選択しないと判定した場合には該画像を前記ヘッドマウント装置へ送信しない、画像表示方法であり、前記情報処理装置は、前記判定の結果、前記装置識別情報取得部が取得した装置識別情報に関連付けられている画像を選択しない場合には、作業者に対して作業内容を再確認するように警告する内容の警告画像を、前記通信ステップによって前記ヘッドマウント装置へ送信する、画像表示方法である。
【００１４】
（１２）本発明の一態様は、コンピュータに、ヘッドマウント装置に備わる撮像部が撮像した画像を受信し、前記ヘッドマウント装置に備わる表示部によって表示される画像を送信する通信機能と、前記撮像部が撮像した画像に基づいて対象装置の装置識別情報を取得する装置識別情報取得機能と、装置識別情報に関連付けて前記装置識別情報で識別される対象装置に適用される画像を記憶する記憶装置から、前記装置識別情報取得機能が取得した装置識別情報に関連付けられている画像を取得し、取得した画像を前記通信機能によって前記ヘッドマウント装置へ提供する画像提供機能と、を実現させるためのコンピュータプログラムであって、前記記憶装置は、前記ヘッドマウント装置の識別情報又は予定ユーザ識別情報と、予定時刻情報と、装置識別情報と、当該装置識別情報で識別される対象装置に関連付けられた画像の画像識別情報とが関連付けられた画像選択情報を記憶し、前記画像提供機能は、前記ヘッドマウント装置の識別情報又は装着ユーザ識別情報と、時刻情報と、前記画像選択情報とに基づいて、前記装置識別情報取得機能が取得した装置識別情報に関連付けられている画像を選択するか否かを判定し、該画像を選択すると判定した場合には該画像を前記ヘッドマウント装置へ送信し、該画像を選択しないと判定した場合には該画像を前記ヘッドマウント装置へ送信しない、コンピュータプログラムであり、前記画像提供機能は、前記判定の結果、前記装置識別情報取得部が取得した装置識別情報に関連付けられている画像を選択しない場合には、作業者に対して作業内容を再確認するように警告する内容の警告画像を、前記通信機能によって前記ヘッドマウント装置へ送信する、コンピュータプログラムである。
【発明の効果】
【００１５】
本発明によれば、作業者が頭部に装着しているヘッドマウント装置によって該作業者に対して、作業を行う対象の各装置に対応する画像を提示することができる。
【図面の簡単な説明】
【００１６】
【図１】一実施形態に係る画像表示システム１の構成例を示す図である。
【図２】一実施形態に係るヘッドマウント装置２の構成例を示す図である。
【図３】一実施形態に係る情報処理装置４のハードウェア構成例を示す図である。
【図４】一実施形態に係る情報処理装置４の機能構成例を示す図である。
【図５】一実施形態に係る記憶装置６に格納される画像情報の構成例を示す図である。
【図６】一実施形態に係る画像表示方法の一例を示すフローチャートである。
【図７】一実施形態に係る画像表示方法の一例を示すフローチャートである。
【図８】一実施形態に係る画像表示方法の一例を示すフローチャートである。
【図９】一実施形態に係る画像選択情報の構成例を示す図である。
【図１０】一実施形態に係る画像選択情報の構成例を示す図である。
【図１１】一実施形態に係る作業者レベル情報の構成例を示す図である。
【図１２】一実施形態に係る装置難易度情報の構成例を示す図である。
【図１３】一実施形態に係る承認者リストの構成例を示す図である。
【図１４】一実施形態に係る実施例の説明図である。
【図１５】一実施形態に係る画像例を示す図である。
【図１６】一実施形態に係る画像例を示す図である。
【図１７】一実施形態に係る画像表示システム１ａの構成例を示す図である。
【図１８】一実施形態に係る画像表示システム１ｂの構成例を示す図である。
【図１９】一実施形態に係る情報処理装置４ｂの機能構成例を示す図である。
【図２０】一実施形態に係る通知情報の構成例を示す図である。
【発明を実施するための形態】
【００１７】
以下、図面を参照し、本発明の実施形態について説明する。
【００１８】
［第１実施形態］
図１は、本実施形態に係る画像表示システム１の構成例を示す図である。図１において、画像表示システム１は、ヘッドマウント装置２と、情報処理装置４と、記憶装置６とを備える。ヘッドマウント装置２と情報処理装置４とは、通信回線８を介して、データを送受する。通信回線８として、例えば携帯電話ネットワークやインターネット等の通信ネットワークを適用できる。
【００１９】
ヘッドマウント装置２は、作業者Ｘの頭部に装着される。ヘッドマウント装置２は、該ヘッドマウント装置２を頭部に装着している作業者Ｘに対して、該作業者Ｘが視認できる画像を提示できる構成になっている。例えば、ヘッドマウント装置２は、透過型のヘッドマウントディスプレイである。図１に示される例では、ヘッドマウント装置２は眼鏡型の透過型のヘッドマウントディスプレイである。なお、ヘッドマウント装置２は、眼鏡型以外の形状の頭部装着型のヘッドマウントディスプレイであってもよい。
【００２０】
対象装置１０は、作業者Ｘが作業を行う対象の装置である。作業者Ｘは、ヘッドマウント装置２を頭部に装着して、対象装置１０に対する作業を行う。
【００２１】
情報処理装置４は、ヘッドマウント装置２に対して、該ヘッドマウント装置２によって表示する画像を提供する。記憶装置６は、対象装置１０に対応する画像を記憶している。承認者Ｙは、作業者Ｘが行う作業を監視する役目を持つ。
【００２２】
図２は、本実施形態に係るヘッドマウント装置２の構成例を示す図である。図２において、ヘッドマウント装置２は、制御部２１と、表示部２２と、撮像部２３と、通信部２４と、記録部２５と、センサー部２６と、測位部２７と、視線検出部２８と、音声再生部２９と収音部３０とを備える。これら各部はデータを交換できるように構成されている。
【００２３】
制御部２１は、ヘッドマウント装置２が備える各部を制御する。制御部２１は、専用のハードウェアにより実現されるものであってもよく、又は、ＣＰＵ（Central Processing Unit：中央演算処理装置）及びメモリにより構成され、制御部２１の機能を実現するためのプログラムをＣＰＵが実行することによりその機能を実現させるものであってもよい。
【００２４】
表示部２２は、ヘッドマウント装置２を頭部に装着している作業者Ｘが視認できる画像を表示する。例えば、ヘッドマウント装置２が透過型のヘッドマウントディスプレイである場合、表示部２２は、作業者Ｘの視線の先に透過型の仮想スクリーンを投影表示し、該透過型の仮想スクリーン上に画像を表示する。これにより、作業者Ｘは、自己の周辺の風景を見ながら、透過型の仮想スクリーン上に表示されている画像を視認することができる。制御部２１は、表示部２２によって表示する画像を表示部２２へ出力する。
【００２５】
撮像部２３は、ヘッドマウント装置２を頭部に装着している作業者Ｘの周辺の風景であって、該作業者Ｘの視線の方向の風景を撮像する。つまり、撮像部２３は、ヘッドマウント装置２を頭部に装着している作業者Ｘの視線の方向を撮像するように、ヘッドマウント装置２に取り付けられている。撮像部２３は、撮像した画像を通信部２４と記録部２５とへ出力する。撮像部２３が撮像した画像のことを撮像画像と称する場合がある。
【００２６】
通信部２４は、通信回線８を介して情報処理装置４と通信を行う。通信部２４は、撮像画像を、通信回線８を介して情報処理装置４へ送信する。通信部２４は、通信回線８を介して情報処理装置４から画像を受信する。通信部２４が情報処理装置４から受信する画像は、例えば、情報処理装置４が記憶装置６から取得した対象装置１０に対応する画像である。表示部２２は、通信部２４が情報処理装置４から受信した画像を表示する。
【００２７】
記録部２５は、撮像部２３が撮像した画像（撮像画像）のうち最新の一定時間分の撮像画像を記録する。記録部２５は、記録した撮像画像の量が一定時間分に達した場合には、記録した撮像画像のうち古い方の撮像画像から順次消去して新しい撮像画像を記録する。
【００２８】
センサー部２６は、一又は複数のセンサーを備える。センサー部２６が備えるセンサーとして、例えば、加速度センサー、地磁気センサーなどが挙げられる。センサー部２６は、センサーが検出した結果の検出信号を制御部２１へ出力する。
測位部２７は、ヘッドマウント装置２の位置を測定し、測定結果の測位値を制御部２１へ出力する。測位部２７として、例えば、ＧＰＳ（Global Positioning System）を利用してもよく、又は、準天頂衛星（quasi-zenith satellites: QZS）などの全地球航法衛星システム（Global Navigation Satellite System(s): GNSS）を利用してもよい。
【００２９】
視線検出部２８は、ヘッドマウント装置２を頭部に装着している作業者Ｘの視線を検出する。視線検出部２８は、検出した結果の視線を示す視線情報を制御部２１へ出力する。音声再生部２９は、スピーカ又はイヤホンによって音声信号を再生する。制御部２１は、音声再生部２９によって再生する音声信号を音声再生部２９へ出力する。収音部３０はマイクロフォンを備える。収音部３０は、マイクロフォンによって作業者Ｘの音声を収音する。また、収音部３０は、マイクロフォンによって作業者Ｘの周辺から発せられる音を収音してもよい。収音部３０は、マイクロフォンによって収音した音声や音の信号を制御部２１へ出力する。
【００３０】
図３は、本実施形態に係る情報処理装置４のハードウェア構成例を示す図である。図３において、情報処理装置４は、ＣＰＵ４１と、メモリ４２と、不揮発性メモリ４３と、操作部４４と、表示部４５と、通信部４６とを備える。これら各部はデータを交換できるように構成されている。ＣＰＵ４１は、不揮発性メモリ４３に格納されるプログラム４７を実行し、メモリ４２をワークメモリとして使用して、情報処理装置４の各部を制御する。
【００３１】
メモリ４２は、半導体素子を利用した揮発性のメモリ等のＲＡＭによって構成され、ＣＰＵ４１のワークメモリとして使用される。不揮発性メモリ４３は、例えばハードディスク（ＨＤ）やＲＯＭ等によって構成される。不揮発性メモリ４３には、ＣＰＵ４１によって実行されるプログラム４７が格納される。
【００３２】
操作部４４は、キーボード、テンキー、マウス等の入力デバイスから構成され、利用者の操作に応じたデータ入力を行う。表示部４５は、液晶表示装置等の表示デバイスから構成され、データ表示を行う。また、データ入力とデータ表示の両方が可能なタッチパネルを備えてもよい。通信部４６は、通信回線８を介してヘッドマウント装置２と通信を行う。情報処理装置４の通信部４６とヘッドマウント装置２の通信部２４とは、通信回線８を介してデータを送受する。
【００３３】
情報処理装置４として、例えばタブレット型のコンピュータ（タブレットＰＣ）や据置き型のパーソナルコンピュータ、サーバコンピュータ等のコンピュータ装置を適用できる。
【００３４】
図４は、本実施形態に係る情報処理装置４の機能構成例を示す図である。図４に示される各部の機能は、図３に示すＣＰＵ４１が不揮発性メモリ４３に格納されるプログラム４７を実行することにより実現される。図４において、情報処理装置４は、装置識別情報取得部４０１と、画像提供部４０２と、判断部４０３と、承認入力部４０４と、表示制御部４０５とを備える。
【００３５】
装置識別情報取得部４０１は、ヘッドマウント装置２の撮像部２３が撮像した画像に基づいて対象装置１０の装置識別情報（装置ＩＤ）を取得する。
【００３６】
画像提供部４０２は、ヘッドマウント装置２の表示部２２に表示される画像を通信部４６によってヘッドマウント装置２の通信部２４へ送信する。例えば、画像提供部４０２は、装置識別情報取得部４０１が取得した装置ＩＤに関連付けられている画像を記憶装置６から取得し、該記憶装置６から取得した画像を通信部４６によってヘッドマウント装置２の通信部２４へ送信する。
【００３７】
判断部４０３は、ヘッドマウント装置２の視線検出部２８が検出した結果の視線を示す視線情報と、ヘッドマウント装置２の表示部２２に表示されている画像に関連付けて記憶装置６に記憶されている情報とに基づいて、該画像の表示終了を判断する。
【００３８】
承認入力部４０４は承認の入力を受け付ける。該承認の入力は、承認者Ｙによって行われる。例えば、承認入力部４０４は、ヘッドマウント装置２の表示部２２に表示されている画像について表示終了の承認の入力を受け付ける。
【００３９】
表示制御部４０５は、表示部４５に画像を表示させる制御を行う。例えば、表示制御部４０５は、通信部４６によってヘッドマウント装置２から受信した撮像画像を表示部４５に表示させる。
【００４０】
図５は、本実施形態に係る記憶装置６に格納される画像情報の構成例を示す図である。記憶装置６は、装置ＩＤに関連付けて該装置ＩＤで識別される対象装置１０に関連付けられた画像を記憶する。図５に示す画像情報の構成例では、記憶装置６は、装置ＩＤに関連付けて画像関連情報を格納する。画像関連情報は、画像識別情報（画像ＩＤ）と画像と付加情報との組を有する。例えば装置ＩＤ「ＤＩＤ＿ａ」に関連付けられた画像関連情報は、装置ＩＤ「ＤＩＤ＿ａ」で識別される対象装置１０に関連付けられた画像と該画像の画像ＩＤと該画像の付加情報とを有する。例えば、画像ＩＤ「ＩＭＩＤ＿ａ１」と画像ａ１と付加情報ａａ１との組において、画像ａ１は、装置ＩＤ「ＤＩＤ＿ａ」で識別される対象装置１０に関連付けられた画像である。画像ＩＤ「ＩＭＩＤ＿ａ１」は、画像ａ１を識別するＩＤである。付加情報ａａ１は、画像ａ１についての付加的な情報である。付加情報は、テキストによる情報であってもよく、又は、画像による情報であってもよく、又は、音声による情報であってもよい。
【００４１】
なお、記憶装置６は、複数の装置ＩＤの組に対し関連付けて該装置ＩＤで識別される対象装置１０の組に関連付けられた画像を記憶してもよい。例えば、図５に例示される画像情報は、複数の装置ＩＤの組に対し関連付けられた画像関連情報を有してもよい。
【００４２】
次に本実施形態に係る画像表示システム１の動作を説明する。
【００４３】
［ヘッドマウント装置の動作］
図６を参照して、本実施形態に係るヘッドマウント装置２の動作を説明する。図６は、本実施形態に係る画像表示方法の一例を示すフローチャートである。図６に示される処理は、例えば、ヘッドマウント装置２の電源がオンになると開始される。
【００４４】
（ステップＳ１０１）ヘッドマウント装置２において、制御部２１は、ヘッドマウント装置２の動作の開始を判断する。この動作開始の判断方法の例を以下に説明する。
【００４５】
［ヘッドマウント装置の動作開始の判断方法の例１］
ヘッドマウント装置２の動作開始の判断方法の例１では、センサー部２６は加速度センサーを備える。センサー部２６は、加速度センサーが検出した結果の加速度検出信号を制御部２１へ出力する。制御部２１は、センサー部２６から出力された加速度検出信号を使用して、ヘッドマウント装置２の移動の変化を測定する。制御部２１は、ヘッドマウント装置２の移動の変化の測定の結果に基づいて、ヘッドマウント装置２が所定時間継続して静止していると判断した場合に、ヘッドマウント装置２の動作を開始すると判断する。また、制御部２１は、ヘッドマウント装置２の動作を開始すると判断した後に、ヘッドマウント装置２の移動の変化の測定の結果に基づいて、ヘッドマウント装置２が所定時間継続して移動していると判断した場合に、ヘッドマウント装置２の動作の一時停止を判断してもよい。制御部２１は、ヘッドマウント装置２の動作を一時停止すると判断した後に、ヘッドマウント装置２の移動の変化の測定の結果に基づいて、ヘッドマウント装置２が所定時間継続して静止していると判断した場合に、ヘッドマウント装置２の動作の再開を判断する。
【００４６】
［ヘッドマウント装置の動作開始の判断方法の例２］
ヘッドマウント装置２の動作開始の判断方法の例２では、センサー部２６は加速度センサーと地磁気センサーとを備える。センサー部２６は、加速度センサーが検出した結果の加速度検出信号を制御部２１へ出力する。センサー部２６は、地磁気センサーが検出した結果の地磁気検出信号を制御部２１へ出力する。制御部２１は、センサー部２６から出力された加速度検出信号を使用して、ヘッドマウント装置２の移動の変化を測定する。制御部２１は、ヘッドマウント装置２の移動の変化の測定の結果に基づいて、ヘッドマウント装置２が継続して静止している時間（静止時間）を測定する。制御部２１は、センサー部２６から出力された地磁気検出信号を使用して、ヘッドマウント装置２の傾きを測定する。制御部２１は、該測定の結果である静止時間とヘッドマウント装置２の傾きとに基づいて、ヘッドマウント装置の動作の開始と一時停止と再開とを判断する。
【００４７】
［ヘッドマウント装置の動作開始の判断方法の例３］
ヘッドマウント装置２の動作開始の判断方法の例３では、センサー部２６は、ヘッドマウント装置２としての眼鏡型のヘッドマウントディスプレイのつる（テンプル）が眼鏡をかけることができるように開かれた開状態になったことを検出するつる開状態センサーを備える。センサー部２６は、つる開状態センサーが検出した結果のつる開状態検出信号を制御部２１へ出力する。制御部２１は、センサー部２６から出力されたつる開状態検出信号に基づいて、つるが開状態になったことを判断する。制御部２１は、つるが開状態になったと判断した場合に、ヘッドマウント装置２の動作を開始すると判断する。
【００４８】
［ヘッドマウント装置の動作開始の判断方法の例４］
ヘッドマウント装置２の動作開始の判断方法の例４では、情報処理装置４からヘッドマウント装置２の動作を制御する。情報処理装置４は、承認者Ｙが行うヘッドマウント装置２を制御する操作に応じて、動作制御情報をヘッドマウント装置２へ送信する。ヘッドマウント装置２において、通信部２４は、情報処理装置４から受信した動作制御情報を制御部２１へ出力する。制御部２１は、通信部２４から出力された動作制御情報に従って、ヘッドマウント装置の動作の開始と一時停止と再開とを判断する。
【００４９】
［ヘッドマウント装置の動作開始の判断方法の例５］
ヘッドマウント装置２の動作開始の判断方法の例５では、測位部２７は、ヘッドマウント装置２の位置を測定し、測定結果の測位値を制御部２１へ出力する。制御部２１は、測位部２７から出力された測位値と、予め設定された作業位置情報とに基づいて、ヘッドマウント装置の動作の開始を判断する。例えば、作業位置情報は、作業対象の拠点又は装置から一定の範囲内の作業区域を示す情報である。制御部２１は、測位値と作業位置情報が示す作業区域とに基づいて、ヘッドマウント装置２が作業区域内に存在すると判断した場合に、ヘッドマウント装置２の動作を開始すると判断する。又は、制御部２１は、測位値と作業位置情報が示す作業区域とに基づいて、ヘッドマウント装置２が作業区域内に移動したと判断した場合に、ヘッドマウント装置２の動作を開始すると判断する。
【００５０】
以上が動作開始の判断方法の例の説明である。説明を図６に戻す。
ステップＳ１０１の判断の結果、ヘッドマウント装置２の動作を開始すると判断した場合にはステップＳ１０２へ進み、そうではない場合にはステップＳ１０１の処理を継続する。
【００５１】
（ステップＳ１０２）制御部２１は、ヘッドマウント装置２の動作を開始すると判断すると、撮像部２３に対して撮像の開始を指示する。撮像部２３は、該制御部２１からの撮像の開始の指示に応じて、撮像を開始する。記録部２５は、該撮像部２３が撮像した画像の記録を開始する。通信部２４は、該撮像部２３が撮像した画像の情報処理装置４への送信を開始する。また、通信部２４は、撮像部２３が撮像した画像以外のデータを情報処理装置４へ送信してもよい。例えば、通信部２４は、ヘッドマウント装置２の識別情報（ヘッドマウント装置ＩＤ）、表示部２２が表示している画像の画像ＩＤ、測位部２７が測定した結果の測位値、視線検出部２８が検出した結果の視線を示す視線情報、収音部３０が収音した音声や音の信号などを情報処理装置４へ送信してもよい。また、通信部２４は、記録部２５に記録されている一定時間分の撮像画像を情報処理装置４へ送信してもよい。制御部２１は、通信部２４に対して、撮像画像及び撮像画像以外のデータを送信する制御を行う。
【００５２】
制御部２１は、ヘッドマウント装置２の動作を一時停止すると判断すると、撮像部２３に対して撮像の停止を指示する。撮像部２３は、該制御部２１からの撮像の停止の指示に応じて、撮像を停止する。なお、通信部２４は、撮像部２３が撮像を停止している場合に、撮像部２３が撮像した画像以外のその他のデータを情報処理装置４へ送信してもよい。
【００５３】
制御部２１は、ヘッドマウント装置２の動作を一時停止すると判断した後にヘッドマウント装置の動作を再開すると判断すると、撮像部２３に対して撮像の開始を指示する。撮像部２３は、該制御部２１からの撮像の開始の指示に応じて、撮像を開始する。記録部２５は、該撮像部２３が撮像した画像を記録する。通信部２４は、該撮像部２３が撮像した画像を情報処理装置４へ送信する。
【００５４】
（ステップＳ１０３）通信部２４は、情報処理装置４から画像を受信する。通信部２４は、情報処理装置４から受信した画像を制御部２１へ出力する。
【００５５】
（ステップＳ１０４）制御部２１は、通信部２４から出力された画像を表示部２２へ出力し、表示部２２によって該画像を表示させる制御を行う。表示部２２は、制御部２１から出力された画像を、制御部２１による制御に従って表示する。
【００５６】
（ステップＳ１０５）本処理を継続する場合にはステップＳ１０３に戻り、そうではない場合には図６の処理を終了する。図６に示される処理は、例えば、情報処理装置４からの指示によって終了となる。例えば、承認者Ｙが情報処理装置４により作業の終了を承認する操作を行ったり、又は、情報処理装置４が作業の終了を判断したりした場合に、情報処理装置４からヘッドマウント装置２へ図６の処理の終了が指示される。
【００５７】
なお、制御部２１は、表示部２２によって各種の情報を表示させる制御を行ってもよい。例えば、制御部２１は、撮像部２３が撮像している時には、「撮像中」である旨を表示部２２によって表示させてもよい。また、制御部２１は、通信部２４が撮像画像を送信している時には、「撮像画像の送信中」である旨を表示部２２によって表示させてもよい。また、制御部２１は、通信部２４が情報処理装置４から画像を受信している時には、「画像取得中」である旨を表示部２２によって表示させてもよい。
【００５８】
［情報処理装置の動作］
図７及び図８を参照して、本実施形態に係る情報処理装置４の動作を説明する。図７及び図８は、本実施形態に係る画像表示方法の一例を示すフローチャートである。図７及び図８に示される処理は、例えば、情報処理装置４においてプログラム４７が起動されると開始される。
【００５９】
（ステップＳ２０１）情報処理装置４において、装置識別情報取得部４０１は、ヘッドマウント装置２の動作の開始を判断する。装置識別情報取得部４０１は、例えば、通信部４６によってヘッドマウント装置２からデータを受信した場合に、ヘッドマウント装置２が動作を開始したと判断する。ステップＳ２０１の判断の結果、ヘッドマウント装置２が動作を開始したと判断した場合にはステップＳ２０２へ進み、そうではない場合にはステップＳ２０１の処理を継続する。
【００６０】
（ステップＳ２０２）装置識別情報取得部４０１は、通信部４６によってヘッドマウント装置２から受信したデータのうち、撮像部２３が撮像した画像に基づいて対象装置１０の装置ＩＤを取得する。この装置ＩＤの取得方法の例を以下に説明する。
【００６１】
［装置ＩＤの取得方法の例］
対象装置１０には、対象装置１０の装置ＩＤを含む情報を表すバーコードが貼付されてある。ヘッドマウント装置２を頭部に装着している作業者Ｘが対象装置１０に貼付されているバーコードの方を見ることによって該バーコードが撮像部２３によって撮像され、該撮像画像が通信部２４によって情報処理装置４へ送信される。装置識別情報取得部４０１は、該撮像画像に写っているバーコードに基づいて装置ＩＤを取得する。
なお、対象装置１０には、対象装置１０の装置ＩＤが文字列で表示されていてもよい。この場合、ヘッドマウント装置２を頭部に装着している作業者Ｘが対象装置１０に表示されている装置ＩＤの文字列の方を見ることによって該装置ＩＤの文字列が撮像部２３によって撮像され、該撮像画像が通信部２４によって情報処理装置４へ送信される。装置識別情報取得部４０１は、該撮像画像に写っている装置ＩＤの文字列に基づいて装置ＩＤを取得する。
【００６２】
以上が装置ＩＤの取得方法の例の説明である。説明を図７に戻す。
表示制御部４０５は、通信部４６によってヘッドマウント装置２から受信した撮像画像を表示部４５に表示させる。これにより、承認者Ｙは、情報処理装置４の表示部４５に表示された撮像画像によって、作業者Ｘが作業を実施しようとしている対象装置１０を確認することができる。また、表示制御部４０５は、装置識別情報取得部４０１が取得した装置ＩＤ又は該装置ＩＤに対応する対象装置１０の装置名等の装置情報を表示部４５に表示させてもよい。これにより、承認者Ｙは、情報処理装置４の表示部４５に表示された装置ＩＤ又は装置情報によって、作業者Ｘが作業を実施しようとしている対象装置１０を確認することができる。
【００６３】
また、承認入力部４０４は、装置識別情報取得部４０１が取得した装置ＩＤについての承認の入力を受け付けるようにしてもよい。例えば、承認入力部４０４は、表示制御部４０５によって、装置識別情報取得部４０１が取得した装置ＩＤ又は該装置ＩＤに対応する対象装置１０の装置名等の装置情報と、該装置ＩＤ又は装置情報を承認するか否かの入力操作を行う対象装置承認入力画面と、を表示部４５に表示させる。承認入力部４０４は、該対象装置承認入力画面によって承認する入力操作が行われた場合には本処理をステップＳ２０３に進ませる。
【００６４】
一方、承認入力部４０４は、該対象装置承認入力画面によって承認しない入力操作が行われた場合には本処理を中断させる。この場合、画像提供部４０２は、作業者Ｘに対して対象装置１０を再確認するように警告する内容の警告画像を、通信部４６によってヘッドマウント装置２へ送信する。該警告画像は、ヘッドマウント装置２の通信部２４によって受信されて表示部２２に表示される。この表示部２２に表示された警告画像によって、作業者Ｘに対し、現在作業を実施しようとしている対象装置１０を再確認するように警告することができる。これにより、作業者Ｘが作業すべき装置とは異なる装置に対して誤って作業を実施してしまうことを未然に防止する効果が得られる。また、警告画像と共に、音声によって警告の旨を作業者Ｘに伝えてもよい。
【００６５】
なお、本処理の実行条件の一設定項目として、承認者Ｙによる承認の入力の受け付けの要否を任意に設定できるようにしてもよい。
【００６６】
（ステップＳ２０３）画像提供部４０２は、装置識別情報取得部４０１が取得した装置ＩＤに関連付けられている画像を記憶装置６から取得する。この画像取得方法の例を以下に説明する。
【００６７】
［画像取得方法の例１］
画像取得方法の例１では、記憶装置６に格納されている図５に例示される画像情報から、装置ＩＤに関連付けられている画像を取得する。画像提供部４０２は、記憶装置６に格納されている画像情報に含まれる画像関連情報であって装置識別情報取得部４０１が取得した装置ＩＤに関連付けられている画像関連情報から、画像を取得する。画像提供部４０２は、該画像関連情報に含まれる画像のうち、全ての画像を取得してもよく、又は、一部の画像を取得してもよい。例えば、所定の順番で一枚ずつ画像を取得してもよい。具体例として、複数の作業手順から構成される作業について、各作業手順を示す画像を１枚ずつ取得してヘッドマウント装置２へ送信することが挙げられる。
【００６８】
［画像取得方法の例２］
画像取得方法の例２では、記憶装置６に格納されている図５に例示される画像情報から、装置ＩＤに関連付けられている画像を取得する。但し、ヘッドマウント装置２のヘッドマウント装置ＩＤに基づいて、装置識別情報取得部４０１が取得した装置ＩＤに関連付けられている画像を選択するか否かを判定し、該画像を選択すると判定した場合には該画像をヘッドマウント装置２へ送信し、該画像を選択しないと判定した場合には該画像をヘッドマウント装置２へ送信しない。
【００６９】
図９は、画像取得方法の例２に係る画像選択情報の構成例を示す図である。画像選択情報は記憶装置６に格納されている。画像選択情報は、ヘッドマウント装置ＩＤと装置ＩＤと画像ＩＤとを関連付けた区分を有する。例えば、画像選択情報のある一区分において、ヘッドマウント装置ＩＤ「ＨＭＩＤ＿ａ」と装置ＩＤ「ＤＩＤ＿ａ」と画像ＩＤ「ＩＭＩＤ＿ａ２，ＩＭＩＤ＿ａ５，・・・」とが関連付けられている。
【００７０】
ヘッドマウント装置２の通信部２４は、自ヘッドマウント装置２のヘッドマウント装置ＩＤを情報処理装置４へ送信する。画像提供部４０２は、通信部４６によってヘッドマウント装置２から受信したヘッドマウント装置ＩＤに基づいて、装置識別情報取得部４０１が取得した装置ＩＤに関連付けられている画像を選択するか否かを判定する。具体的には、画像提供部４０２は、画像選択情報において、ヘッドマウント装置ＩＤと装置識別情報取得部４０１が取得した装置ＩＤとが関連付けられている場合には、装置識別情報取得部４０１が取得した装置ＩＤに関連付けられている画像を選択すると判定し、そうではない場合には、装置識別情報取得部４０１が取得した装置ＩＤに関連付けられている画像を選択しないと判定する。画像提供部４０２は、該画像を選択すると判定した場合には、該画像を記憶装置６から取得する。一方、画像提供部４０２は、該画像を選択しないと判定した場合には、該画像を記憶装置６から取得しない。なお、画像提供部４０２は、装置識別情報取得部４０１が取得した装置ＩＤに関連付けられている画像のうち、全ての画像を記憶装置６から取得してもよく、又は、一部の画像を記憶装置６から取得してもよい。例えば、所定の順番で一枚ずつ画像を取得してもよい。具体例として、複数の作業手順から構成される作業について、各作業手順を示す画像を１枚ずつ取得してヘッドマウント装置２へ送信することが挙げられる。
【００７１】
［画像取得方法の例３］
画像取得方法の例３では、記憶装置６に格納されている図５に例示される画像情報から、装置ＩＤに関連付けられている画像を取得する。但し、ヘッドマウント装置２のヘッドマウント装置ＩＤ又はユーザ識別情報（ユーザＩＤ）と、時刻情報又はヘッドマウント装置２の位置情報とに基づいて、装置識別情報取得部４０１が取得した装置ＩＤに関連付けられている画像を選択するか否かを判定し、該画像を選択すると判定した場合には該画像をヘッドマウント装置２へ送信し、該画像を選択しないと判定した場合には該画像をヘッドマウント装置２へ送信しない。
【００７２】
図１０は、画像取得方法の例３に係る画像選択情報の構成例を示す図である。画像選択情報は、記憶装置６に格納されている。画像選択情報は、ヘッドマウント装置ＩＤと予定ユーザＩＤと予定日時情報と位置条件と装置ＩＤと画像ＩＤとを関連付けた区分を有する。但し、該一区分において、ヘッドマウント装置ＩＤ若しくは予定ユーザＩＤのいずれか一方のみが有されてもよく、又は、ヘッドマウント装置ＩＤ及び予定ユーザＩＤの両方が有されてもよい。また、予定日時情報若しくは位置条件のいずれか一方のみが有されてもよく、又は、予定日時情報及び位置条件の両方が有されてもよい。予定ユーザＩＤは、作業計画で定められた作業予定者の識別情報である。予定日時情報は、作業計画で定められた作業予定日時を示す情報である。位置条件は、作業計画で定められた作業予定場所に基づいた作業者の移動範囲を示す情報である。
【００７３】
ヘッドマウント装置２の通信部２４は、自ヘッドマウント装置２のヘッドマウント装置ＩＤを情報処理装置４へ送信する。なお、ヘッドマウント装置２の位置情報に基づいて、装置識別情報取得部４０１が取得した装置ＩＤに関連付けられている画像を選択するか否かを判定する場合には、ヘッドマウント装置２の通信部２４は、測位部２７が測定した結果の測位値も情報処理装置４へ送信する。
【００７４】
情報処理装置４は現在の日時を示す現在日時情報を取得する。例えば、情報処理装置４は日時を刻む時計を備え、該時計から現在日時情報を取得する。また、情報処理装置４には、ヘッドマウント装置２を頭部に装着している作業者ＸのユーザＩＤが入力される。例えば、承認者Ｙが、該作業者ＸのユーザＩＤを情報処理装置４に入力する。ヘッドマウント装置２を頭部に装着している作業者ＸのユーザＩＤのことを装着ユーザＩＤと称する。
【００７５】
なお、ヘッドマウント装置２は、該ヘッドマウント装置２を頭部に装着している作業者Ｘの目を撮像する撮像部をさらに備え、該撮像部が撮像した作業者Ｘの目の画像を通信部２４によって情報処理装置４へ送信してもよい。情報処理装置４は、通信部４６によって情報処理装置４から受信した作業者Ｘの目の画像に基づいて、装着ユーザＩＤを取得するユーザＩＤ取得部をさらに備えてもよい。
【００７６】
画像提供部４０２は、通信部４６によってヘッドマウント装置２から受信したヘッドマウント装置ＩＤ又は装着ユーザＩＤと、現在日時情報又は通信部４６によってヘッドマウント装置２から受信した測位値とに基づいて、装置識別情報取得部４０１が取得した装置ＩＤに関連付けられている画像を選択するか否かを判定する。具体的には、画像提供部４０２は、画像選択情報において、ヘッドマウント装置ＩＤ又は予定ユーザＩＤに一致する装着ユーザＩＤと装置識別情報取得部４０１が取得した装置ＩＤとが関連付けられており、且つ、予定日時情報に一致する現在日時情報又は位置条件に一致する測位値と装置識別情報取得部４０１が取得した装置ＩＤとが関連付けられている場合には、装置識別情報取得部４０１が取得した装置ＩＤに関連付けられている画像を選択すると判定し、そうではない場合には、装置識別情報取得部４０１が取得した装置ＩＤに関連付けられている画像を選択しないと判定する。画像提供部４０２は、該画像を選択すると判定した場合には、該画像を記憶装置６から取得する。一方、画像提供部４０２は、該画像を選択しないと判定した場合には、該画像を記憶装置６から取得しない。
【００７７】
なお、画像提供部４０２は、画像選択情報において、ヘッドマウント装置ＩＤ及び予定ユーザＩＤに一致する装着ユーザＩＤと装置識別情報取得部４０１が取得した装置ＩＤとが関連付けられており、且つ、予定日時情報に一致する現在日時情報又は位置条件に一致する測位値と装置識別情報取得部４０１が取得した装置ＩＤとが関連付けられている場合には、装置識別情報取得部４０１が取得した装置ＩＤに関連付けられている画像を選択すると判定し、そうではない場合には、装置識別情報取得部４０１が取得した装置ＩＤに関連付けられている画像を選択しないと判定してもよい。また、画像提供部４０２は、画像選択情報において、ヘッドマウント装置ＩＤ又は予定ユーザＩＤに一致する装着ユーザＩＤと装置識別情報取得部４０１が取得した装置ＩＤとが関連付けられており、且つ、予定日時情報に一致する現在日時情報及び位置条件に一致する測位値と装置識別情報取得部４０１が取得した装置ＩＤとが関連付けられている場合には、装置識別情報取得部４０１が取得した装置ＩＤに関連付けられている画像を選択すると判定し、そうではない場合には、装置識別情報取得部４０１が取得した装置ＩＤに関連付けられている画像を選択しないと判定してもよい。また、画像提供部４０２は、画像選択情報において、ヘッドマウント装置ＩＤ及び予定ユーザＩＤに一致する装着ユーザＩＤと装置識別情報取得部４０１が取得した装置ＩＤとが関連付けられており、且つ、予定日時情報に一致する現在日時情報及び位置条件に一致する測位値と装置識別情報取得部４０１が取得した装置ＩＤとが関連付けられている場合には、装置識別情報取得部４０１が取得した装置ＩＤに関連付けられている画像を選択すると判定し、そうではない場合には、装置識別情報取得部４０１が取得した装置ＩＤに関連付けられている画像を選択しないと判定してもよい。
【００７８】
画像提供部４０２は、該判定の結果、装置識別情報取得部４０１が取得した装置ＩＤに関連付けられている画像を選択しない場合には、本処理を中断させる。この場合、画像提供部４０２は、作業者Ｘに対して作業内容を再確認するように警告する内容の警告画像を、通信部４６によってヘッドマウント装置２へ送信する。該警告画像は、ヘッドマウント装置２の通信部２４によって受信されて表示部２２に表示される。この表示部２２に表示された警告画像によって、作業者Ｘに対し、現在実施しようとしている作業内容を再確認するように警告することができる。これにより、作業者Ｘが現在実施しようとしている作業内容が作業計画とは異なり誤って作業を実施してしまうことを未然に防止する効果が得られる。また、警告画像と共に、音声によって警告の旨を作業者Ｘに伝えてもよい。
【００７９】
また、装置識別情報取得部４０１が取得した装置ＩＤに加えて、ヘッドマウント装置ＩＤ又は装着ユーザＩＤと、現在日時情報又はヘッドマウント装置２の測位値とに基づいて画像を送信するか否かが判定されるので、画像の情報（例えば、作業マニュアルの情報等）の漏洩を防ぐ効果が得られる。例えば、第三者がヘッドマウント装置２を装着した場合、装置ＩＤが画像選択情報に一致しても、画像選択情報の予定日時情報や位置条件に一致しなければ画像はヘッドマウント装置２へ送信されないので、画像の情報が第三者に漏洩することを防ぐことができる。
【００８０】
なお、記憶装置６が作業内容を示すキーワードと装置ＩＤとに関連付けされる画像を格納し、画像提供部４０２は、該キーワードと装置ＩＤとに基づいて、ヘッドマウント装置２へ送信する画像を取得してもよい。作業内容を示すキーワードは、例えば、音声によって入力されてもよい。
以上が画像取得方法の例の説明である。説明を図７に戻す。
【００８１】
（ステップＳ２０４）画像提供部４０２は、記憶装置６から取得した画像と該画像の画像ＩＤとを通信部４６によってヘッドマウント装置２へ送信する。該画像はヘッドマウント装置２の通信部２４によって受信されて表示部２２により表示される。
【００８２】
（ステップＳ２０５）本処理を継続する場合には図８のステップＳ２０６へ進み、そうではない場合には図７及び図８の処理を終了する。図７及び図８に示される処理は、例えば、情報処理装置４においてプログラム４７の実行が終了されることにより終了になる。
【００８３】
（ステップＳ２０６）通信部４６は、ヘッドマウント装置２から、撮像画像等のデータを受信する。
【００８４】
（ステップＳ２０７）判断部４０３は、通信部４６によってヘッドマウント装置２から受信した視線情報と画像ＩＤとを使用して、ヘッドマウント装置２の表示部２２に表示されている画像の表示終了を判断する処理を実行する。この表示終了の判断方法の例を以下に説明する。
【００８５】
［表示終了の判断方法の例］
記憶装置６は、作業者の視線によって特定される情報を画像に関連付けて記憶している。記憶装置６に格納されている図５に例示される画像情報において、付加情報は、作業者の視線によって特定される情報を有する。作業者の視線によって特定される情報のことを視線特定情報と称する場合がある。
【００８６】
例えば、装置ＩＤ「ＤＩＤ＿ａ」に関連付けられた画像関連情報の付加情報ａａ１は、画像ａ１についての視線特定情報を有する。例えば、視線特定情報は、作業者の視線によって特定される画像ａ１内の位置を示す情報である。視線特定情報が示す画像ａ１内の位置には、例えば、作業者が確認すべき情報が存在する。作業者が確認すべき情報として、例えば、作業が正しく実施されるように導くチェック項目が挙げられる。
【００８７】
作業者Ｘがヘッドマウント装置２を頭部に装着しており、該ヘッドマウント装置２の表示部２２が画像ａ１を表示している。この時に視線検出部２８が検出した結果の視線情報が示す視線が、付加情報ａａ１の視線特定情報が示す画像ａ１内の位置に合っていれば、該作業者Ｘは該視線特定情報が示す画像ａ１内の位置に存在する情報を視認したと判断することができる。
【００８８】
判断部４０３は、記憶装置６に格納されている画像情報に含まれる画像関連情報であって装置識別情報取得部４０１が取得した装置ＩＤに関連付けられている画像関連情報から、通信部４６によってヘッドマウント装置２から受信した画像ＩＤに関連付けられている付加情報を取得する。例えば、判断部４０３は、装置識別情報取得部４０１が取得した装置ＩＤ「ＤＩＤ＿ａ」に関連付けられている画像関連情報から、ヘッドマウント装置２から受信した画像ＩＤ「ＩＭＩＤ＿ａ１」に関連付けられている付加情報ａａ１を取得する。ヘッドマウント装置２から受信した画像ＩＤ「ＩＭＩＤ＿ａ１」は、該ヘッドマウント装置２の表示部２２が表示している画像ａ１の画像ＩＤである。
【００８９】
判断部４０３は、該取得した付加情報ａａ１と、通信部４６によってヘッドマウント装置２から受信した視線情報とに基づいて、ヘッドマウント装置２の表示部２２に表示されている画像ａ１の表示終了を判断する。通信部４６によってヘッドマウント装置２から受信した視線情報は、該ヘッドマウント装置２の表示部２２が画像ａ１を表示している時に検出された視線情報である。判断部４０３は、ヘッドマウント装置２から受信した視線情報が示す視線が、付加情報ａａ１の視線特定情報が示す画像ａ１内の位置に合っているか否かを判断する。判断部４０３は、該判断の結果、該視線が該画像ａ１内の位置に合っている場合には画像ａ１の表示を終了すると判断する。これは、ヘッドマウント装置２を装着している作業者Ｘが、視線特定情報が示す画像ａ１内の位置に存在する情報を視認したと判断できるからである。
【００９０】
一方、判断部４０３は、該判断の結果、該視線が該画像ａ１内の位置に合っていない場合には画像ａ１の表示を終了しないと判断する。これは、ヘッドマウント装置２を装着している作業者Ｘが、視線特定情報が示す画像ａ１内の位置に存在する情報を視認したとは判断できないからである。なお、判断部４０３は、画像ａ１の表示を終了しないと判断した場合に、本処理を中断させてもよい。この場合、画像提供部４０２は、作業者Ｘに対して作業内容を再確認するように警告する内容の警告画像を、通信部４６によってヘッドマウント装置２へ送信する。該警告画像は、ヘッドマウント装置２の通信部２４によって受信されて表示部２２に表示される。この表示部２２に表示された警告画像によって、作業者Ｘに対し、現在実施しようとしている作業内容を再確認するように警告することができる。これにより、作業者Ｘが現在実施しようとしている作業内容が作業計画とは異なり誤って作業を実施してしまうことを未然に防止する効果が得られる。また、警告画像と共に、音声によって警告の旨を作業者Ｘに伝えてもよい。
【００９１】
［表示終了の判断方法の他の例］
ヘッドマウント装置２において、収音部３０は、ヘッドマウント装置２を装着する作業者Ｘの音声を収音する。制御部２１は、収音部３０が収音した音声に基づいて表示部２２に表示されている画像の表示終了を判断した場合に、情報処理装置４へ画像の表示終了を通知する。情報処理装置４において、画像提供部４０２は、ヘッドマウント装置２から画像の表示終了を通知されると、装置識別情報取得部４０１が取得した装置ＩＤで識別される対象装置に適用される次の画像を記憶装置６から取得し、取得した画像をヘッドマウント装置２へ提供する。
【００９２】
以上が表示終了の判断方法の例の説明である。説明を図８に戻す。
【００９３】
（ステップＳ２０８）ステップＳ２０７の判断の結果が表示を終了するである場合にはステップＳ２０９に進み、そうではない場合にはステップＳ２０６に戻る。
【００９４】
（ステップＳ２０９）画像提供部４０２は、承認入力部４０４によって画像の表示終了の承認の入力を受け付け済みであるか否かを判断する。この判断の結果、画像の表示終了の承認の入力を受け付け済みである場合にはステップＳ２１０へ進み、そうではない場合にはステップＳ２０９の処理を継続する。承認入力部４０４は、画像の表示終了の承認の入力を受け付けが未完了である場合には、画像の表示終了の承認の入力を受け付ける処理を実行する。
【００９５】
なお、本処理の実行条件の一設定項目である「画像の表示終了の承認の入力の受け付けの要否の設定項目」に設定されている内容が「承認の入力の受け付けを行わない」である場合には、ステップＳ２０９の処理を飛ばしてステップＳ２１０へ進む。つまり、「画像の表示終了の承認の入力の受け付けの要否の設定項目」に設定されている内容が「承認の入力の受け付けを行う」である場合にはステップＳ２０９の処理を実行し、そうではない場合にはステップＳ２０９の処理を実行しないでステップＳ２１０へ進む。
【００９６】
ここで、承認入力部４０４が画像の表示終了の承認の入力を受け付ける方法の例を説明する。
【００９７】
［画像の表示終了の承認の入力受付方法の例１］
承認入力部４０４は、表示制御部４０５によって、ヘッドマウント装置２の表示部２２に表示されている画像の表示終了を承認するか否かの入力操作を行う表示終了承認入力画面を表示部４５に表示させる。この時、情報処理装置４の表示部４５には表示制御部４０５によって撮像画像が表示されている。承認者Ｙは、該表示部４５に表示されている撮像画像等を確認し、表示終了承認入力画面に対する入力操作を行う。承認者Ｙが、表示終了承認入力画面に対して承認する入力操作を行った場合には、ヘッドマウント装置２の表示部２２に表示されている画像の表示終了の承認の入力を受け付け済みの状態になる。
【００９８】
一方、承認者Ｙが、表示終了承認入力画面に対して承認しない入力操作を行った場合には、ヘッドマウント装置２の表示部２２に表示されている画像の表示終了の承認の入力をまだ受け付けていない状態になる。承認入力部４０４は、該表示終了承認入力画面によって承認しない入力操作が行われた場合には本処理を中断させる。この場合、画像提供部４０２は、作業者Ｘに対して作業内容を再確認するように警告する内容の警告画像を、通信部４６によってヘッドマウント装置２へ送信する。該警告画像は、ヘッドマウント装置２の通信部２４によって受信されて表示部２２に表示される。この表示部２２に表示された警告画像によって、作業者Ｘに対し、現在実施しようとしている作業内容を再確認するように警告することができる。これにより、作業者Ｘが現在実施しようとしている作業内容が作業計画とは異なり誤って作業を実施してしまうことを未然に防止する効果が得られる。また、警告画像と共に、音声によって警告の旨を作業者Ｘに伝えてもよい。
【００９９】
［画像の表示終了の承認の入力受付方法の例２］
画像の表示終了の承認の入力受付方法の例２では、上記の画像の表示終了の承認の入力受付方法の例１において、承認入力部４０４は、作業者に応じて表示終了承認入力画面を表示部４５に表示させるか否かを判断する。この表示終了承認入力画面の表示の要否の判断方法の例を以下に説明する。
【０１００】
［表示終了承認入力画面の表示の要否の判断方法の例２−１］
表示終了承認入力画面の表示の要否の判断方法の例１では、作業者毎に、表示終了承認入力画面の表示の要否を予め設定しておく。具体的には、作業者のユーザＩＤと、表示終了承認入力画面の表示の要否を示す表示終了承認入力画面要否情報とを関連付けた作業者リストを、予め記憶装置６に格納しておく。情報処理装置４には、ヘッドマウント装置２を頭部に装着している作業者ＸのユーザＩＤ（装着ユーザＩＤ）が入力される。例えば、承認者Ｙが、装着ユーザＩＤを情報処理装置４に入力する。承認入力部４０４は、記憶装置６に格納されている作業者リストから、該装着ユーザＩＤに関連付けられている表示終了承認入力画面要否情報を取得する。承認入力部４０４は、該作業者リストから取得した表示終了承認入力画面要否情報が「表示要」を示す場合には、表示制御部４０５によって表示終了承認入力画面を表示部４５に表示させる。
【０１０１】
一方、承認入力部４０４は、該作業者リストから取得した表示終了承認入力画面要否情報が「表示否」を示す場合には、表示終了承認入力画面の表示を行わない。この表示終了承認入力画面の表示を行わない場合には、そのままステップＳ２１０へ進む。
【０１０２】
［表示終了承認入力画面の表示の要否の判断方法の例２−２］
表示終了承認入力画面の表示の要否の判断方法の例２では、作業者のレベルに応じて、表示終了承認入力画面の表示の要否を判断する。図１１は、本実施形態に係る記憶装置６に格納される作業者レベル情報の構成例を示す図である。図１１において、作業者レベル情報は、作業者毎に、作業者のユーザＩＤと作業者レベルとの組を有する。作業者レベルは、作業者の熟練度を表す情報である。図１１の例では、作業者レベルは、「高」と「中」と「低」との３段階がある。作業者レベル「高」は、３段階のうち熟練度が最も高い段階を表す。作業者レベル「低」は、３段階のうち熟練度が最も低い段階を表す。作業者レベル「中」は、作業者レベル「高」又は「低」のいずれにも属さない中くらいの熟練度の段階を表す。
【０１０３】
情報処理装置４には、ヘッドマウント装置２を頭部に装着している作業者ＸのユーザＩＤ（装着ユーザＩＤ）が入力される。例えば、承認者Ｙが、装着ユーザＩＤを情報処理装置４に入力する。承認入力部４０４は、記憶装置６に格納されている作業者レベル情報から、該装着ユーザＩＤに関連付けられている作業者レベルを取得する。承認入力部４０４は、該作業者レベル情報から取得した作業者レベルが所定の作業者レベル未満である場合には、表示制御部４０５によって表示終了承認入力画面を表示部４５に表示させる。例えば、承認入力部４０４は、該作業者レベル情報から取得した作業者レベルが「高」未満である場合には、つまり、作業者レベルが「中」又は「低」である場合には、表示制御部４０５によって表示終了承認入力画面を表示部４５に表示させる。
【０１０４】
一方、承認入力部４０４は、該作業者レベル情報から取得した作業者レベルが所定の作業者レベル以上である場合には、表示終了承認入力画面の表示を行わない。例えば、承認入力部４０４は、該作業者レベル情報から取得した作業者レベルが「高」以上である場合には、つまり、作業者レベルが「高」である場合には、表示終了承認入力画面の表示を行わない。この表示終了承認入力画面の表示を行わない場合には、そのままステップＳ２１０へ進む。
【０１０５】
［画像の表示終了の承認の入力受付方法の例３］
画像の表示終了の承認の入力受付方法の例３では、画像の表示終了の承認の入力を行う承認者の選択を行う。この画像の表示終了の承認の入力受付方法の例３は、上記の画像の表示終了の承認の入力受付方法の例１又は例２に適用できる。記憶装置６は、上記した図１１に例示される作業者レベル情報と、図１２に例示される装置難易度情報と、図１３に例示される承認者リストと、を格納する。
【０１０６】
図１２において、装置難易度情報は、装置毎に、装置ＩＤと難易度レベルとの組を有する。難易度レベルは、装置についての作業の難易度を表す情報である。図１２の例では、難易度レベルは、「難」と「中」と「易」との３段階がある。難易度レベル「難」は、３段階のうち難易度が最も難しい段階を表す。難易度レベル「易」は、３段階のうち難易度が最も易しい段階を表す。難易度レベル「中」は、難易度レベル「難」又は「易」のいずれにも属さない中くらいの難易度の段階を表す。
【０１０７】
図１３において、承認者リストは、承認者毎に、承認者の識別情報（承認者ＩＤ）と承認者レベルとの組を有する。承認者レベルは、承認者の熟練度を表す情報である。図１３の例では、承認者レベルは、「高」と「中」と「低」との３段階がある。承認者レベル「高」は、３段階のうち熟練度が最も高い段階を表す。承認者レベル「低」は、３段階のうち熟練度が最も低い段階を表す。承認者レベル「中」は、承認者レベル「高」又は「低」のいずれにも属さない中くらいの熟練度の段階を表す。
【０１０８】
情報処理装置４には、ヘッドマウント装置２を頭部に装着している作業者ＸのユーザＩＤ（装着ユーザＩＤ）が入力される。例えば、作業管理者が、装着ユーザＩＤを情報処理装置４に入力する。承認入力部４０４は、記憶装置６に格納されている作業者レベル情報から、該装着ユーザＩＤに関連付けられている作業者レベルを取得する。承認入力部４０４は、装置識別情報取得部４０１が取得した装置ＩＤに関連付けられている難易度レベルを、記憶装置６に格納されている装置難易度情報から取得する。
【０１０９】
承認入力部４０４は、該作業者レベル情報から取得した作業者レベルと、該装置難易度情報から取得した難易度レベルとに基づいて、記憶装置６に格納されている承認者リストから画像の表示終了の承認の入力を行う承認者の承認者ＩＤを選択する。承認入力部４０４は、該承認者リストから選択した承認者ＩＤによって、画像の表示終了の承認の入力を受け付ける。例えば、承認入力部４０４は、表示終了承認入力画面に対して入力操作を行う承認者ＩＤの認証を行う。該承認者ＩＤの認証方法の一例として、予め登録されている承認者ＩＤとパスワードの組合せによって、承認者ＩＤの認証を行うことが挙げられる。承認入力部４０４は、承認者リストから選択した承認者ＩＤのみを、認証合格の対象にする。したがって、承認入力部４０４が承認者リストから選択した承認者ＩＤによっては表示終了承認入力画面に対して入力操作を行うことができるが、該承認入力部４０４が承認者リストから選択した承認者ＩＤ以外の他の承認者ＩＤによっては表示終了承認入力画面に対して入力操作を行うことができない。
【０１１０】
［承認者ＩＤの選択方法の例］
画像の表示終了の承認の入力を受け付ける承認者ＩＤの選択方法の例を説明する。作業者レベルと難易度レベルの組合せ毎に承認者レベルを関連付けたレベル対応表を、予め記憶装置６に格納しておく。レベル対応表における関連付けの一例として、作業者レベル「低」と難易度レベル「難」の組合せに対して承認者レベル「高」を関連付ける。該レベル対応表によって、作業者レベルと難易度レベルの組合せに対応する承認者レベルが示される。
【０１１１】
承認入力部４０４は、作業者レベル情報から取得した作業者レベルと装置難易度情報から取得した難易度レベルの組合せに関連付けられている承認者レベルを、記憶装置６に格納されているレベル対応表から取得する。承認入力部４０４は、該レベル対応表から取得した承認者レベルに関連付けられている承認者ＩＤを、記憶装置６に格納されている承認者リストから取得する。承認者リストから取得する承認者ＩＤは、該当する全ての承認者ＩＤであってもよく、又は、該当する承認者ＩＤのうち一部であってもよい。例えば、作業計画で定められた複数の承認候補者の識別情報に一致する承認者ＩＤのみを承認者リストから取得してもよい。
以上が承認者ＩＤの選択方法の例の説明である。
【０１１２】
以上が画像の表示終了の承認の入力受付方法の例の説明である。説明を図８に戻す。
【０１１３】
（ステップＳ２１０）画像提供部４０２は、装置識別情報取得部４０１が取得した装置ＩＤで識別される対象装置１０に適用される次の画像を記憶装置６から取得する。該次の画像は、記憶装置６に格納されている画像情報において該装置識別情報取得部４０１が取得した装置ＩＤに関連付けられている画像関連情報に含まれる付加情報であってヘッドマウント装置２の表示部２２に表示されている画像に対応する付加情報によって示される。ヘッドマウント装置２の表示部２２に表示されている画像の画像ＩＤは、通信部４６によってヘッドマウント装置２から受信されている。
【０１１４】
例えば、図５に例示される画像情報において、ヘッドマウント装置２から受信した画像ＩＤ「ＩＭＩＤ＿ａ１」は、該ヘッドマウント装置２の表示部２２が表示している画像ａ１の画像ＩＤである。画像提供部４０２は、該画像ＩＤ「ＩＭＩＤ＿ａ１」に関連付けられている付加情報ａａ１を記憶装置６から取得する。該付加情報ａａ１は、画像ａ１の次に表示すべき画像を示す次表示画像情報を含む。画像提供部４０２は、記憶装置６から取得した付加情報ａａ１の次表示画像情報に基づいて、画像ａ１の次に表示すべき画像を記憶装置６から取得する。
【０１１５】
（ステップＳ２０４）画像提供部４０２は、記憶装置６から取得した画像と該画像の画像ＩＤとを通信部４６によってヘッドマウント装置２へ送信する。該画像はヘッドマウント装置２の通信部２４によって受信されて表示部２２により表示される。作業者Ｘは、表示部２２によって表示された新しい画像を視認する。ステップＳ２０４の後に図７のステップＳ２０５へ進む。
【０１１６】
以上が図７及び図８に示される処理の説明である。
【０１１７】
図１４は、本実施形態に係る実施例の説明図である。図１４の実施例では、対象装置１０に適用される作業手順を示す作業手順画像を作業者Ｘへ提示する。記憶装置６に格納されている図５に例示される画像情報において、対象装置１０の装置ＩＤに関連付けられている画像関連情報は、該対象装置１０に適用される作業手順を示す作業手順画像を有する。例えば、対象装置１０の装置ＩＤ「ＤＩＤ＿ａ」に関連付けられている画像関連情報において、画像ＩＤ「ＩＭＩＤ＿ａ１」の画像ａ１は、該対象装置１０に適用される作業手順のうち最初の手順１を示す画像であり、画像ＩＤ「ＩＭＩＤ＿ａ２」の画像ａ２は、該対象装置１０に適用される作業手順のうち手順１の次の手順２を示す画像であり、画像ＩＤ「ＩＭＩＤ＿ａ３」の画像ａ３は、該対象装置１０に適用される作業手順のうち手順２の次の手順３を示す画像であり、画像ＩＤ「ＩＭＩＤ＿ａ４」の画像ａ４は、該対象装置１０に適用される作業手順のうち手順３の次の手順４を示す画像であり、画像ＩＤ「ＩＭＩＤ＿ａ２」の画像ａ５は、該対象装置１０に適用される作業手順のうち手順４の次の手順５を示す画像である。
【０１１８】
画像提供部４０２は、最初に画像ａ１、次いで画像ａ２、次いで画像ａ３、次いで画像ａ４、次いで画像ａ５の順番で、画像ａ１、画像ａ２、画像ａ３、画像ａ４及び画像ａ５をヘッドマウント装置２へ提供する。画像ａ２、画像ａ３、画像ａ４及び画像ａ５は、それぞれの前の画像の表示終了の判断後に、ヘッドマウント装置２へ提供される。さらには、画像ａ２、画像ａ３、画像ａ４及び画像ａ５は、画像の表示終了の承認の入力の受け付けの要の場合には、それぞれ前の画像の表示終了の承認の入力を受け付け後に、ヘッドマウント装置２へ提供される。
【０１１９】
図１４の例では、作業者Ｘは、手順３の終了後であって、ヘッドマウント装置２の表示部２２が手順４を示す画像ａ４を表示している時に、手順４を行わずに、手順５を行おうとした。この時、判断部４０３は、通信部４６によってヘッドマウント装置２から受信した視線情報に基づいて、画像ａ４の表示を終了しないと判断した。これにより、画像提供部４０２は、作業者Ｘに対して作業内容を再確認するように警告する内容の警告画像を、通信部４６によってヘッドマウント装置２へ送信する。該警告画像は、ヘッドマウント装置２の通信部２４によって受信されて表示部２２に表示される。この表示部２２に表示された警告画像によって、作業者Ｘに対し、現在実施しようとしている作業内容を再確認するように警告することができる。これにより、作業者Ｘが誤って手順５を実施してしまうことを未然に防止する効果が得られる。また、警告画像と共に、音声によって警告の旨を作業者Ｘに伝えてもよい。
【０１２０】
また、画像提供部４０２は、承認者Ｙが画像ａ４についての表示終了承認入力画面に対して承認しない入力操作を行った場合には、作業者Ｘに対して作業内容を再確認するように警告する内容の警告画像を、通信部４６によってヘッドマウント装置２へ送信する。この警告画像がヘッドマウント装置２の表示部２２に表示されることによって、作業者Ｘに対し、現在実施しようとしている作業内容を再確認するように警告することができる。これにより、作業者Ｘが誤って手順５を実施してしまうことを未然に防止する効果が得られる。また、警告画像と共に、音声によって警告の旨を作業者Ｘに伝えてもよい。
【０１２１】
図１５及び図１６は、ヘッドマウント装置２の表示部２２に表示される画像の例を示す図である。図１５及び図１６の例では、作業者Ｘが実施すべき作業は、対象装置１０−１と対象装置１０−２との間にケーブルを敷設し、該ケーブルで対象装置１０−１と対象装置１０−２とを接続する作業である。装置９０−１、９０−２及び９０−３は、作業対象外の装置である。装置９０−１、９０−２、９０−３のことを対象外装置と称する。
【０１２２】
図１５において、ヘッドマウント装置２の表示部２２は、画像ＩＭ１を表示している。画像ＩＭ１は、本作業のケーブルの敷設ルートを示す画像である。作業者Ｘは、対象装置１０−１と対象装置１０−２とを視認すると共に、表示部２２が表示する画像ＩＭ１を視認する。これにより、作業者Ｘは、表示部２２が表示する画像ＩＭ１によって本作業のケーブルの敷設ルートを確認して、実際のケーブルの敷設及び接続の作業を実施することができる。よって、作業者Ｘが作業中に作業手順書を閲覧しながら作業を実施する場合に比して、作業の効率の向上を図ることができる。また、作業者Ｘは、作業手順書を閲覧できるだけの空間がない作業場所であっても、ヘッドマウント装置２の表示部２２に表示されている作業手順画像によって作業手順を確認することができる。
【０１２３】
図１６において、ヘッドマウント装置２の表示部２２は、警告画像ＩＭ１０１、ＩＭ１０２、ＩＭ１０３、ＩＭ１０４、ＩＭ１０５及びＩＭ１０６を表示している。警告画像ＩＭ１０１及びＩＭ１０２は、該警告画像ＩＭ１０１及びＩＭ１０２の表示に対応する部分が作業対象であることを示している。
【０１２４】
一方、警告画像ＩＭ１０３、ＩＭ１０４、ＩＭ１０５及びＩＭ１０６は、該警告画像ＩＭ１０３、ＩＭ１０４、ＩＭ１０５及びＩＭ１０６の表示に対応する部分が作業対象ではないことを示している。警告画像ＩＭ１０３は、該警告画像ＩＭ１０３の表示に対応する部分が運用中であり注意するように、作業者Ｘに警告する画像である。警告画像ＩＭ１０４、ＩＭ１０５及びＩＭ１０６は、該警告画像ＩＭ１０４、ＩＭ１０５及びＩＭ１０６の表示に対応する部分が対象外装置であることを作業者Ｘに警告する画像である。警告画像ＩＭ１０５には、過去に誤作業が発生した箇所である旨と、該誤作業が発生した日時とが示されている。
【０１２５】
警告画像ＩＭ１０１、ＩＭ１０２、ＩＭ１０３、ＩＭ１０４、ＩＭ１０５及びＩＭ１０６によって、作業者Ｘに対し、作業内容の再確認を促すことができる。これにより、作業者Ｘが作業すべき内容とは異なる内容の作業を誤って実施してしまうことを未然に防止する効果が得られる。
【０１２６】
なお、実際に作業者Ｘが実施した作業内容を確認するために、ヘッドマウント装置２の記録部２５に記録されている一定時間分の撮像画像をヘッドマウント装置２から情報処理装置４へ送信し、該一定時間分の撮像画像を情報処理装置４の表示部４５で表示してもよい。例えば、作業者Ｘに警告する時に該作業者Ｘに作業を中断させ、ヘッドマウント装置２の記録部２５に記録されている一定時間分の撮像画像を情報処理装置４の表示部４５で表示するようにしてもよい。これにより、承認者Ｙは、作業者Ｘに警告する時に、該表示部４５が表示する一定時間分の撮像画像によって作業者Ｘが実施した作業内容を把握することができる。作業者Ｘが実施した作業内容を把握することによって、該把握内容を、作業者Ｘに対する警告内容や作業内容の指示などに反映することができる。
なお、情報処理装置４が特定の画像をヘッドマウント装置２へ送信した際には、その旨を情報処理装置４の表示部４５に表示又は承認者Ｙへ通知し、作業者Ｘが装着しているヘッドマウント装置２に表示されている画像と同一の画像を情報処理装置４の表示部４５に表示させてもよい。
【０１２７】
［第２実施形態］
図１７は、本実施形態に係る画像表示システム１ａの構成例を示す図である。図１７において図１の各部に対応する部分には同一の符号を付け、その説明を省略する。図１７に示す画像表示システム１ａでは、図１に示す画像表示システム１に対して通信装置１２を設ける。これ以外は図１に示す画像表示システム１と同じである。但し、ヘッドマウント装置２の通信部２４は、通信装置１２と通信を行う。通信装置１２は、通信回線８を介して、情報処理装置４とデータを送受する。ヘッドマウント装置２は、通信装置１２を介して、情報処理装置４とデータを送受する。
【０１２８】
ヘッドマウント装置２の通信部２４は、撮像画像等のデータを通信装置１２へ送信する。通信装置１２は、ヘッドマウント装置２から受信した撮像画像等のデータを、通信回線８を介して情報処理装置４へ送信する。
【０１２９】
情報処理装置４の通信部４６は、通信回線８を介して画像等のデータを通信装置１２へ送信する。通信装置１２は、情報処理装置４から受信した画像等のデータをヘッドマウント装置２へ送信する。ヘッドマウント装置２の通信部２４は、通信装置１２から画像等のデータを受信する。ヘッドマウント装置２の表示部２２は、通信部２４が通信装置１２から受信した画像を表示する。
【０１３０】
ヘッドマウント装置２の通信部２４と通信装置１２とは、例えばビーエルイー（Bluetooth（登録商標） Low Energy：ＢＬＥ）などの近距離無線通信技術によって無線データ通信を行う。これにより、ヘッドマウント装置２の通信部２４が通信装置１２を介さずに直接に通信回線８を介して情報処理装置４とデータを送受する場合に比して、ヘッドマウント装置２の消費電力を低減することができる。これは、ヘッドマウント装置２のバッテリーの持ちをよくし、ヘッドマウント装置２のより長い使用時間の実現に貢献できる。
【０１３１】
通信装置１２として、例えばスマートフォンやタブレットＰＣ等の携帯通信端末装置を適用できる。
【０１３２】
［第３実施形態］
図１８は、本実施形態に係る画像表示システム１ｂの構成例を示す図である。図１９は、本実施形態に係る情報処理装置４ｂの機能構成例を示す図である。図１８において図１の各部に対応する部分には同一の符号を付け、その説明を省略する。また、図１９において図４の各部に対応する部分には同一の符号を付け、その説明を省略する。図１８に示す画像表示システム１ｂでは、図１に示す画像表示システム１に対して通知情報記憶装置１４を設ける。また、図１８に示す画像表示システム１ｂでは、図１に示す画像表示システム１の情報処理装置４の代わりに情報処理装置４ｂを備える。これら以外は図１に示す画像表示システム１と同じである。
【０１３３】
また、図１９に示す情報処理装置４ｂでは、図４に示す情報処理装置４に対してＳＮＳ検索部４１０と通知情報提供部４１１とを設ける。これ以外は図４に示す情報処理装置４と同じである。
【０１３４】
図２０は、本実施形態に係る通知情報記憶装置１４に格納される通知情報の構成例を示す図である。通知情報記憶装置１４は、キーワードに関連付けて通知情報を記憶する。該通知情報は、ヘッドマウント装置２を装着する作業者Ｘへ通知する情報である。通知情報は、画像による情報であってもよく、又は、音声による情報であってもよい。
【０１３５】
ＳＮＳ検索部４１０は、通知情報記憶装置１４に格納されている通知情報に関連付けられているキーワードを使用して、ソーシャルネットワーキングサービス（social networking service：ＳＮＳ）の投稿記事を検索する。
【０１３６】
通知情報提供部４１１は、ＳＮＳ検索部４１０が検索した投稿記事の検索数が所定数以上である場合に、ＳＮＳ検索部４１０が当該検索に使用したキーワードに関連付けられている通知情報を、通知情報記憶装置１４から取得する。通知情報提供部４１１は、該通知情報記憶装置１４から取得した通知情報を、通信部４６によってヘッドマウント装置２へ送信する。該通知情報が画像による情報である場合には、ヘッドマウント装置２の表示部２２が該通知情報の画像を表示する。この表示部２２に表示された通知情報の画像によって、作業者Ｘに対し、該通知情報の内容を伝えることができる。また、通知情報が音声による情報である場合には、ヘッドマウント装置２の音声再生部２９が該通知情報の音声を再生する。この音声再生部２９が再生した通知情報の音声によって、作業者Ｘに対し、該通知情報の内容を伝えることができる。
【０１３７】
通知情報記憶装置１４に格納されるキーワードとして、対象装置１０に対して実施される作業の結果としてＳＮＳの投稿記事に掲載される可能性が高い語句を使用する。また、該キーワードに関連付ける通知情報として、対象装置１０に対して実施される作業の結果として起こる事象についての情報を使用する。例えば、対象装置１０が通信会社Ａの通信装置であって、その作業が通信速度の向上に寄与する作業であるとする。この場合、キーワードとして「通信会社Ａ」、「通信速度」、「繋がらない」、「障害」などを使用し、これらに関連付ける通知情報として「要確認」、「障害発生」などを使用することが挙げられる。これにより、ＳＮＳの投稿記事を利用して作業結果の影響を即時に作業者Ｘに伝えることができる。
【０１３８】
以上、本発明の実施形態について図面を参照して詳述してきたが、具体的な構成はこの実施形態に限られるものではなく、本発明の要旨を逸脱しない範囲の設計変更等も含まれる。
【０１３９】
上述した情報処理装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【０１４０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１４１】
１，１ａ，１ｂ…画像表示システム、２…ヘッドマウント装置、４，４ｂ…情報処理装置、６…記憶装置、８…通信回線、１０…対象装置、１２…通信装置、１４…通知情報記憶装置、２１…制御部、２２…表示部、２３…撮像部、２４，４６…通信部、２５…記録部、２６…センサー部、２７…測位部、２８…視線検出部、２９…音声再生部、３０…収音部、４１…ＣＰＵ、４２…メモリ、４３…不揮発性メモリ、４４…操作部、４５…表示部、４７…プログラム、４０１…装置識別情報取得部、４０２…画像提供部、４０３…判断部、４０４…承認入力部、４０５…表示制御部、４１０…ＳＮＳ検索部、４１１…通知情報提供部
【図１】
0006710555.tif 000002
【図２】
0006710555.tif 000003
【図３】
0006710555.tif 000004
【図４】
0006710555.tif 000005
【図５】
0006710555.tif 000006
【図６】
0006710555.tif 000007
【図７】
0006710555.tif 000008
【図８】
0006710555.tif 000009
【図９】
0006710555.tif 000010
【図１０】
0006710555.tif 000011
【図１１】
0006710555.tif 000012
【図１２】
0006710555.tif 000013
【図１３】
0006710555.tif 000014
【図１４】
0006710555.tif 000015
【図１５】
0006710555.tif 000016
【図１６】
0006710555.tif 000017
【図１７】
0006710555.tif 000018
【図１８】
0006710555.tif 000019
【図１９】
0006710555.tif 000020
【図２０】
0006710555.tif 000021